(57)【要約】  本明細書に記載されるのは、埋め込み可能な閉ループ神経調節装置と、そのような装置、及び装置に電力を供給する超音波を放出するよう構成されるインテロゲータを含むシステムと、そのような装置及びシステムを使用する方法と、神経活動を調節する方法と、である。この埋め込み可能な装置は、本体から延びる１つ以上の湾曲部材を含むことができる。湾曲部材は、神経を少なくとも部分的に囲むように構成され、１つ以上の電極パッドを含む。本体は、超音波を受信し、超音波からのエネルギーを電気エネルギーに変換するように構成された超音波変換器と、検出された電気生理学的信号に基づいて検出信号を受信し、検出信号に基づいて刺激信号を生成し、刺激信号に基づいて神経に電気パルスを放出するように電極パッドを動作させるよう構成された計算回路と、を含む。【選択図】図２Ａ
2021535779.tif 000002
【特許請求の範囲】
【請求項１】
本体から延びる１つ以上の湾曲部材であって、神経を少なくとも部分的に囲むように構成され、前記湾曲部材が１つ以上の電極パッドを備える、湾曲部材と、
超音波を受信して、前記超音波からのエネルギーを電気エネルギーに変換するように構成された超音波変換器、及び
検出された電気生理学的信号に基づいて検出信号を受け取り、
前記検出信号に基づいて刺激信号を生成し、
前記刺激信号に基づいて前記神経へと電気パルスを放出するよう、前記１つ以上の湾曲部材の前記１つ以上の電極パッドを動作させる
よう構成される、前記１つ以上の電極パッドと電気的に接続される計算回路、
を備える本体と、を備える埋め込み可能な閉ループ神経調節装置。
【請求項２】
前記１つ以上の湾曲部材は、前記湾曲部材に沿って配置された複数の電極パッドを備える、請求項１に記載の装置。
【請求項３】
前記１つ以上の湾曲部材は、前記神経を少なくとも部分的に囲む湾曲電極パッドを備える、請求項１に記載の装置。
【請求項４】
前記１つ以上の湾曲部材の少なくとも１つは、それぞれ同じ湾曲部材上で前記神経を少なくとも部分的に囲む２つ以上の湾曲電極パッドを備える、請求項３に記載の装置。
【請求項５】
本体から延びる１つ以上の湾曲部材であって、湾曲部材それぞれが、神経の長さに平行する軸の周りに放射状に配置されるように構成された複数の電極パッドを備える、湾曲部材と、
超音波を受信して、前記超音波からのエネルギーを電気エネルギーに変換するように構成された超音波変換器、及び
検出された電気生理学的信号に基づいて検出信号を受信し、
前記検出信号に基づいて刺激信号を生成し、
前記刺激信号に基づいて前記神経へ電気パルスを放出するよう、前記１つ以上の湾曲部材のうちの少なくとも１つの前記複数の電極パッドを動作させる
よう構成される、前記複数の電極パッドと電気的に接続される計算回路、
を備える本体と、を備える埋め込み可能な閉ループ神経調節装置。
【請求項６】
１つ以上の電極パッド又は複数の電極パッドは、３つ以上の電極パッドを含む、請求項１乃至５のいずれか１項に記載の装置。
【請求項７】
前記装置は、前記神経内の神経線維の標的サブセットから前記電気生理学的信号を検出するように構成される、請求項１乃至６のいずれか１項に記載の装置。
【請求項８】
前記装置は、前記神経内の１つ以上の標的繊維束、前記神経内の１つ以上の標的求心性神経線維、又は前記神経内の１つ以上の標的遠心性神経線維から、前記電気生理学的信号を検出するように構成される、請求項７に記載の装置。
【請求項９】
前記装置は、前記神経内の２つ以上の異なった標的繊維束から前記電気生理学的信号を検出するように構成される、請求項８に記載の装置。
【請求項１０】
前記装置は、前記神経内の神経線維の標的サブセットに前記電気パルスを放出するように構成される、請求項１乃至９のいずれか１項に記載の装置。
【請求項１１】
前記装置は、前記神経内の１つ以上の標的繊維束、前記神経内の１つ以上の標的求心性神経線維、又は前記神経内の１つ以上の標的遠心性神経線維に、前記電気パルスを放出するように構成される、請求項１０に記載の装置。
【請求項１２】
前記装置は、前記神経内の２つ以上の異なった標的繊維束に前記電気パルスを放出するように構成される、請求項１１に記載の装置。
【請求項１３】
前記装置は、前記神経内の神経線維の第１の標的サブセットから前記電気生理学的信号を検出し、前記神経内の神経線維の第２の標的サブセットに電気パルスを放出するように構成され、前記神経線維の第１の標的サブセットと前記神経線維の第２の標的サブセットとが同じであるか又は異なっている、請求項１乃至１２のいずれか１項に記載の装置。
【請求項１４】
前記本体は、前記超音波変換器から前記電気エネルギーを受信し、前記計算回路に電力を供給するように構成された電池をさらに備える、請求項１乃至１３のいずれか一項に記載の装置。
【請求項１５】
前記装置が非一時的メモリを含む、請求項１乃至１４のいずれか１項に記載の装置。
【請求項１６】
前記非一時的メモリは、前記検出された電気生理学的信号に基づくデータ、前記放出された電気パルスに基づくデータ、又は検出若しくは測定された生理学的状態に基づくデータを含むデータを格納するように構成される、請求項１５に記載の装置。
【請求項１７】
前記非一時的メモリは、インテロゲータから受信したデータを格納するように構成される、請求項１５又は１６に記載の装置。
【請求項１８】
前記超音波変換器は、前記データの少なくとも一部を符号化する超音波後方散乱波を放出するように構成される、請求項１６又は１７に記載の装置。
【請求項１９】
前記データは、前記検出された電気生理学的信号若しくは前記放出された電気パルスのタイムスタンプ、速度、向き、振幅、周波数、又は波形を含む、請求項１６乃至１８のいずれか１項に記載の装置。
【請求項２０】
前記非一時的メモリは、ある期間にわたって取得されたデータを格納するように構成される、請求項１５乃至１９のいずれか１項に記載の装置。
【請求項２１】
前記非一時的メモリは、１つ以上のテンプレート検出信号又は１つ以上のテンプレートパルスを格納する、請求項１５乃至２０のいずれか１項に記載の装置。
【請求項２２】
前記計算回路は、前記検出信号を前記１つ以上のテンプレート検出信号と比較することによって、前記刺激信号を生成するように構成される、請求項２１に記載の装置。
【請求項２３】
前記刺激信号を生成することは、前記非一時的メモリからテンプレートパルスを取り出すことと、前記取り出されたテンプレートパルスに基づいて前記刺激信号を生成することとを含む、請求項２１又は２２に記載の装置。
【請求項２４】
前記刺激信号は、前記検出信号と前記刺激信号との間の数学的関係を使用して生成される、請求項１乃至２０のいずれか１項に記載の装置。
【請求項２５】
前記装置は、生理学的状態を検出又は測定するように構成されたセンサをさらに備える、請求項１乃至２４のいずれか１項に記載の装置。
【請求項２６】
前記生理学的状態は、検体の体温、ｐＨ、圧力、心拍数、緊張、又は存在若しくは量である、請求項２５に記載の装置。
【請求項２７】
前記検出信号は、検出された電気生理学的パルス成分と、追加の検出された生理学的状態成分とを含む、請求項２５又は２６に記載の装置。
【請求項２８】
前記装置は、１つ以上の電極パッドの第１のセットを備える第１の湾曲部材と、１つ以上の電極パッドの第２のセットを備える第２の湾曲部材とを備え、前記第１の湾曲部材及び前記第２の湾曲部材はそれぞれ、前記神経の長さに沿った異なる位置で前記神経を少なくとも部分的に囲むように構成される、請求項１乃至２７のいずれか１項に記載の装置。
【請求項２９】
前記１つ以上の電極パッドの第１のセットは前記第１の湾曲部材に沿って配置された複数の電極パッドを含むか、前記１つ以上の電極パッドの第２のセットは、前記第２の湾曲部材に沿って配置された複数の電極パッドを含むか、又はその両方である、請求項２８に記載の装置。
【請求項３０】
前記１つ以上の電極パッドの第１のセットは前記神経を少なくとも部分的に囲む湾曲電極パッドを含むか、前記１つ以上の電極パッドの第２のセットは前記神経を少なくとも部分的に囲む湾曲電極パッドを含むか、又はその両方である、請求項２８に記載の装置。
【請求項３１】
前記１つ以上の電極パッドの第１のセット及び前記１つ以上の電極パッドの第２のセットは、前記神経によって伝達される前記電気生理学的信号を検出するように構成される、請求項２８乃至３０のいずれか１項に記載の装置。
【請求項３２】
前記装置は、１つ以上の電極パッドの第３のセットを含む第３の湾曲部材をさらに備え、前記第３の湾曲部材は、前記神経の長さに沿って前記第１の湾曲部材と前記第２の湾曲部材との間の位置で前記神経を少なくとも部分的に囲むように構成される、請求項２８乃至３１のいずれか１項に記載の装置。
【請求項３３】
前記電極パッドの第３のセットは、前記第３の湾曲部材に沿って配置された複数の電極パッドを含む、請求項３２に記載の装置。
【請求項３４】
前記電極パッドの第３のセットは、前記神経を少なくとも部分的に囲む湾曲電極パッドを含む、請求項３２に記載の装置。
【請求項３５】
前記計算回路は、前記１つ以上の電極パッドの第１のセット、前記１つ以上の電極パッドの第２のセット、又は前記１つ以上の電極パッドの第３のセットのうちの１つ以上によって検出された前記電気生理学的信号に基づいて、前記電気生理学的信号を伝達する神経線維のサブセットを決定するように構成される、請求項２８乃至３４のいずれか１項に記載の装置。
【請求項３６】
前記電気生理学的信号を伝達する神経線維の前記サブセットが、インテロゲータから受信したデータに基づいてさらに決定される、請求項３５に記載の装置。
【請求項３７】
前記１つ以上の電極パッドの第１のセット、前記１つ以上の電極パッドの第２のセット、又は前記１つ以上の電極パッドの第３のセットは、前記神経に前記電気パルスを放出するように構成される、請求項２８乃至３６のいずれか１項に記載の装置。
【請求項３８】
前記１つ以上の電極パッドの第１のセット、前記１つ以上の電極パッドの第２のセット、又は前記１つ以上の電極パッドの第３のセット内の前記電極パッドは、前記神経内の神経線維の標的サブセットに前記電気パルスを放出するように選択的に活性化されるように構成される、請求項３７に記載の装置。
【請求項３９】
前記計算回路は、前記電気生理学的信号の方向又は速度を決定するように構成される、請求項１乃至３８のいずれか１項に記載の装置。
【請求項４０】
前記１つ以上の電極パッドは、前記神経の外部に配置され、前記神経と電気的に連絡するように構成される、請求項１乃至３９のいずれか１項に記載の装置。
【請求項４１】
前記１つ以上の電極パッドは、前記神経の神経上膜と接するように構成される、請求項４０に記載の装置。
【請求項４２】
前記１つ以上の電極パッドは、１つ以上の位置で前記神経の神経上膜を貫通するように構成される、請求項１乃至３９のいずれか１項に記載の装置。
【請求項４３】
前記計算回路は、前記検出信号又は前記検出信号の成分をダウンサンプリングするように構成される、請求項１乃至４２のいずれか１項に記載の装置。
【請求項４４】
前記計算回路は、前記神経又は前記神経内の神経線維のサブセットによって伝達される複合活動電位又は前記複合活動電位のサブセットの向き、速度、周波数、振幅、若しくは波形に基づいて、前記刺激信号を生成するように構成される、請求項１乃至４３のいずれか１項に記載の装置。
【請求項４５】
前記刺激信号は、前記装置によって放出される前記電気パルスのタイミング、振幅、周波数、又は波形を含む、請求項１乃至４４のいずれか１項に記載の装置。
【請求項４６】
請求項１乃至４５のいずれか１項に記載の装置と、前記装置に電力を供給する超音波を放出するように構成されたインテロゲータとを備える、システム。
【請求項４７】
前記インテロゲータが外部装置である、請求項４６に記載のシステム。
【請求項４８】
前記装置は、前記検出された電気生理学的信号又は前記放出された電気パルスに基づいてデータを格納するように構成された非一時的メモリを備え、
前記超音波変換器は、前記データの少なくとも一部を符号化する超音波後方散乱波を放出し、
前記インテロゲータは、前記超音波後方散乱波を受信するように構成される、請求項４６又は４７に記載のシステム。
【請求項４９】
前記インテロゲータが前記データを復号するようにさらに構成される、請求項４８に記載のシステム。
【請求項５０】
完全に埋め込まれた閉ループ神経調節装置上の超音波変換器で超音波を受信することと、
前記装置に電力を供給する電気エネルギーに前記超音波を変換することと、
前記装置を用いて、神経内の神経線維の標的サブセットによって伝達される電気生理学的信号を検出することと、
前記装置を用いて、前記検出された電気生理学的信号に基づいて刺激信号を生成することと、
前記装置を用いて、前記生成された刺激信号に基づいて前記神経に電気パルスを放出することと、
を含む、神経活動を調節する方法。
【請求項５１】
前記電気パルスが、前記神経内の神経線維の第２の標的サブセットに放出される、請求項５０に記載の方法。
【請求項５２】
完全に埋め込まれた閉ループ神経調節装置上の超音波変換器で超音波を受信することと、
前記装置に電力を供給する電気エネルギーに前記超音波を変換することと、
前記装置を用いて、神経によって伝達される電気生理学的信号を検出することと、
前記装置を用いて、前記検出された電気生理学的信号に基づいて刺激信号を生成することと、
前記装置を用いて、前記生成された刺激信号に基づいて、前記神経内の神経線維の標的サブセットに電気パルスを放出することと、
を含む、神経活動を調節する方法。
【請求項５３】
前記装置内の電池に前記電気エネルギーを蓄積することを含む、請求項５０乃至５２のいずれか一項に記載の方法。
【請求項５４】
前記検出された電気生理学的信号又は前記放出された電気パルスに基づくデータを、前記装置内の非一時的メモリに格納することを含む、請求項５０乃至５３のいずれか１項に記載の方法。
【請求項５５】
前記データは、前記検出された電気生理学的信号又は前記放出された電気パルスのタイムスタンプ、周波数、振幅、波形、速度、又は方向を含む、請求項５４に記載の方法。
【請求項５６】
インテロゲータからデータを受信することを含む、請求項５０乃至５５の何れか一項に記載の方法。
【請求項５７】
前記データは、前記インテロゲータによって伝達される超音波で符号化される、請求項５６に記載の方法。
【請求項５８】
前記インテロゲータから受信された前記データは、前記装置内の非一時的なメモリに格納される、請求項５６又は５７に記載の方法。
【請求項５９】
非一時的媒体上に格納されたデータの少なくとも一部を符号化する超音波後方散乱を放出することを含む、請求項５０乃至５８のいずれか１項に記載の方法。
【請求項６０】
前記検出された電気生理学的信号の方向又は速度を決定することを含む、請求項５０乃至５９のいずれか１項に記載の方法。
【請求項６１】
生理学的状態を検出又は測定することを含む、請求項５０乃至６０のいずれか１項に記載の方法。
【請求項６２】
前記生理学的状態が検体の体温、ｐＨ、圧力、心拍数、緊張、及び／又は存在若しくは量を含む、請求項６１に記載の方法。
【請求項６３】
前記刺激信号を生成する前に、前記検出された電気生理学的信号をダウンサンプリングすることを含む、請求項５０乃至６２のいずれか１項に記載の方法。
【請求項６４】
前記刺激信号は、前記検出された電気生理学的信号の周波数、振幅、又は波形に基づいて生成される、請求項５０乃至６３のいずれか１項に記載の方法。
【発明の詳細な説明】
【技術分野】
【０００１】
［関連出願に対する相互参照］
本出願は２０１８年８月２９日に出願された米国仮出願第６２／７２４，２５３号に対する優先権の利益を主張し、この全体の記載は、あらゆる目的のために参照によって本明細書に組み込まれる。
【０００２】
［技術分野］
本発明は、埋め込み可能な閉ループ神経調節装置、及び埋め込み可能な装置を使用する方法に関する。
【背景技術】
【０００３】
個体の末梢神経系は、生命維持に必要な器官の活動、及び生理的恒常性を、厳密な制御でもって動作させている。神経を通して送信される電気パルスは例えば、心拍数、炎症、及び膀胱又は腸の制御を変化させることができる。ある種の医学的状態は、これらの神経信号が、標的器官への過剰刺激又は過少刺激のいずれかによって、本体を適切に制御できない場合に生じ得る。
【０００４】
末梢神経系の電気信号を制御することにより、異常な生理活性を治療するための侵襲的方法が開発されている。そのような方法は、電極の先端が標的神経に接触する状態で、患者の体内に電極を移植することを含むことができる。これらの電極は一般に、外部装置又は埋め込まれたかさばる装置に取り付けられる長いリード線を有し、これにより、患者は電極の感染又は変位の相当な危険にさらされる。さらに、その方法の多くは非常に侵襲的であるため、ある種の治療は臨床現場に限定され、在宅での療法として使用することはできない。完全埋め込み可能な装置はより侵襲性の低い治療のために開発されてきたが、このような装置は体の多くの位置において配置するには大きすぎる。したがって、埋め込まれた装置は、変位又は破損する可能性のある長いリード線の使用を必要とする。
【０００５】
閉ループ神経調節装置は、神経によって伝達される活動電位などの信号の受信に応じて神経調節電気パルスを放出することができる。しかしながら、神経によって伝達される信号は複合され（すなわち、複合活動電位）、神経束内に位置するいくつかの繊維束のうちの１つによって伝達され得る。したがって、神経からの多くの閉ループ装置検出信号は、良性活動電位と標的下流神経から生じる活動電位とを区別するのに十分に正確ではない。さらに、多くの神経調節装置の神経刺激は神経に広い電気パルスを放出し、これは、オフターゲットの下流神経の刺激をもたらす。制御された手法で、限定された危険性及び副作用を伴って特定の神経を刺激することができる埋め込み可能な閉ループ装置が必要とされ続けている。
【０００６】
本明細書で参照されるすべての刊行物、特許、及び特許出願の開示は、それぞれ、その全体が参照により本明細書に組み込まれる。参照により組み込まれる任意の参照が本開示と矛盾する場合、本開示が優先するものとする。
【発明の概要】
【０００７】
埋め込み可能な閉ループ神経調節装置、及び埋め込み可能な装置を使用する方法が、本明細書に記載される。
【０００８】
例えば、１つの実施形態では、本体から延びる１つ以上の湾曲部材であって、神経を少なくとも部分的に囲むように構成され、前記湾曲部材が１つ以上の電極パッドを備える、湾曲部材と、超音波を受け取って、前記超音波からのエネルギーを電気エネルギーに変換するように構成された超音波変換器、及び検出された電気生理学的信号に基づいて検出信号を受け取り、前記検出信号に基づいて刺激信号を生成し、前記刺激信号に基づいて前記神経へと電気パルスを放射するよう、前記１つ以上の湾曲部材の前記１つ以上の電極パッドを動作させるよう構成される、前記１つ以上の電極パッドと電気的に接続される計算回路、を備える本体と、を埋め込み可能な閉ループ神経調節装置が備える。
【０００９】
いくつかの実施形態では、前記１つ以上の湾曲部材は、前記湾曲部材に沿って配置された複数の電極パッドを備える。
【００１０】
いくつかの実施形態では、前記１つ以上の湾曲部材は、前記神経を少なくとも部分的に囲む湾曲電極パッドを備える。いくつかの実施形態では、前記１つ以上の湾曲部材の少なくとも１つは、それぞれ同じ湾曲部材上で前記神経を少なくとも部分的に囲む２つ以上の湾曲電極パッドを備える。
【００１１】
いくつかの実施形態では、前記１つ以上の電極パッド又は前記複数の電極パッドは、３つ以上の電極パッドを含む。
【００１２】
いくつかの実施形態では、本体から延びる１つ以上の湾曲部材であって、湾曲部材それぞれが、神経の長さに平行する軸の周りに放射状に配置されるように構成された複数の電極パッドを備える、湾曲部材と、超音波を受信して、前記超音波からのエネルギーを電気エネルギーに変換するように構成された超音波変換器、及び検出された電気生理学的信号に基づいて検出信号を受信し、前記検出信号に基づいて刺激信号を生成し、前記刺激信号に基づいて前記神経へ電気パルスを放出するよう、前記１つ以上の湾曲部材のうちの少なくとも１つの前記複数の電極パッドを動作させるよう構成される、前記複数の電極パッドと電気的に接続される計算回路、を備える本体と、を埋め込み可能な閉ループ神経調節装置が備える。
【００１３】
いくつかの実施形態では、前記複数の電極パッドは、３つ以上の電極パッドを備える。いくつかの実施形態では、前記複数の電極パッド内の前記電極パッドは、前記神経の共通平面内に放射状に配置される。いくつかの実施形態では、前記装置は、前記神経内の神経線維の標的サブセットから前記電気生理学的信号を検出するように構成される。いくつかの実施形態では、前記装置は、前記神経内の１つ以上の標的繊維束、前記神経内の１つ以上の標的求心性神経線維、又は前記神経内の１つ以上の標的遠心性神経線維から、前記電気生理学的信号を検出するように構成される。いくつかの実施形態では、前記装置は、前記神経内の２つ以上の異なった標的繊維束から前記電気生理学的信号を検出するように構成される。いくつかの実施形態では、前記装置は、前記神経内の神経線維の標的サブセットに前記電気パルスを放出するように構成される。いくつかの実施形態では、前記装置は、前記神経内の１つ以上の標的繊維束、前記神経内の１つ以上の標的求心性神経線維、又は前記神経内の１つ以上の標的遠心性神経線維に、前記電気パルスを放出するように構成される。いくつかの実施形態では、前記装置は、前記神経内の２つ以上の異なった標的繊維束に前記電気パルスを放出するように構成される。
【００１４】
いくつかの実施形態では、前記装置は、前記神経内の神経線維の第１の標的サブセットから前記電気生理学的信号を検出し、前記神経内の神経線維の第２の標的サブセットに電気パルスを放出するように構成され、前記神経線維の第１の標的サブセットと前記神経線維の第２の標的サブセットとが同じであるか又は異なっている。
【００１５】
いくつかの実施形態では、前記本体は、前記超音波変換器から前記電気エネルギーを受信し、前記計算回路に電力を供給するように構成された電池をさらに備える。
【００１６】
いくつかの実施形態では、前記装置が非一時的メモリを備える。いくつかの実施形態では、前記非一時的メモリは、前記検出された電気生理学的信号に基づくデータ、前記放射された電気パルスに基づくデータ、又は検出若しくは測定された生理学的状態に基づくデータを含むデータを格納するように構成される。いくつかの実施形態では、前記非一時的メモリは、インテロゲータから受信したデータを格納するように構成される。いくつかの実施形態では、超音波変換器がデータの少なくとも一部を符号化する超音波後方散乱波を放射するように構成される。いくつかの実施形態では、前記データは、前記検出された電気生理学的信号若しくは前記放出された電気パルスのタイムスタンプ、速度、向き、振幅、周波数、又は波形を含む。いくつかの実施形態では、前記非一時的メモリは、ある期間にわたって取得されたデータを格納するように構成される。いくつかの実施形態では、前記非一時的メモリは、１つ以上のテンプレート検出信号又は１つ以上のテンプレートパルスを格納する。いくつかの実施形態では、前記計算回路は、前記検出信号を前記１つ以上のテンプレート検出信号と比較することによって、前記刺激信号を生成するように構成される。いくつかの実施形態では、前記刺激信号を生成することは、前記非一時的メモリからテンプレートパルスを取り出すことと、前記取り出されたテンプレートパルスに基づいて前記刺激信号を生成することとを含む。
【００１７】
いくつかの実施形態では、前記刺激信号は、前記検出信号と前記刺激信号との間の数学的関係を使用して生成される。
【００１８】
いくつかの実施形態では、前記装置が、生理学的状態を検出又は測定するように構成されたセンサをさらに備える。いくつかの実施形態では、前記生理学的条件は、検体の体温、ｐＨ、圧力、心拍数、緊張、又は存在若しくは量である。いくつかの実施形態では、前記検出信号は、検出された電気生理学的パルス成分と、追加の検出された生理学的状態成分とを含む。
【００１９】
いくつかの実施形態では、前記装置は、１つ以上の電極パッドの第１のセットを備える第１の湾曲部材と、１つ以上の電極パッドの第２のセットを備える第２の湾曲部材とを備え、前記第１の湾曲部材及び前記第２の湾曲部材はそれぞれ、前記神経の長さに沿った異なる位置で前記神経を少なくとも部分的に囲むように構成される。いくつかの実施形態では、前記１つ以上の電極パッドの第１のセットが前記第１の湾曲部材に沿って配置された複数の電極パッドを含むか、前記１つ以上の電極パッドの第２のセットが前記第２の湾曲部材に沿って配置された複数の電極パッドを含むか、又はその両方である。いくつかの実施形態では、前記１つ以上の電極パッドの第１のセットは前記神経を少なくとも部分的に囲む湾曲電極パッドを含むか、前記１つ以上の電極パッドの第２のセットは前記神経を少なくとも部分的に囲む湾曲電極パッドを含むか、又はその両方である。いくつかの実施形態では、いくつかの実施形態では、前記第１の電極パッド及び前記第２の電極パッドは、前記神経によって伝達される前記電気生理学的信号を検出するように構成される。いくつかの実施形態では、前記装置は、第３の複数の電極パッドを含む第３の湾曲部材をさらに備え、前記第３の湾曲部材は、前記神経の長さに沿って前記第１の湾曲部材と前記第２の湾曲部材との間の位置で前記神経を少なくとも部分的に囲むように構成される。いくつかの実施形態では、前記湾曲部材の第３のセットは、前記第３の湾曲部材に沿って配置された複数の電極パッドを備える。いくつかの実施形態では、前記湾曲部材の第３のセットは、前記神経を少なくとも部分的に囲む湾曲電極パッドを備える。いくつかの実施形態では、前記計算回路は、前記第１の複数の電極パッド、前記第２の複数の電極パッド、又は前記第３の複数の電極パッドのうちの１つ以上によって検出された前記電気生理学的信号に基づいて、前記電気生理学的信号を伝達する神経線維のサブセットを決定するように構成される。いくつかの実施形態では、前記電気生理学的信号を伝達する神経線維の前記サブセットが、インテロゲータから受信したデータに基づいてさらに決定される。いくつかの実施形態では、前記第１の複数の電極パッド、前記第２の複数の電極パッド、又は前記第３の複数の電極パッドは、前記神経に前記電気パルスを放出するように構成される。いくつかの実施形態では、前記第１の複数の電極パッド、前記第２の複数の電極パッド、又は前記第３の複数の電極パッド内の前記電極パッドは、前記神経内の神経線維の標的サブセットに前記電気パルスを放出するように選択的に活性化されるように構成される。
【００２０】
いくつかの実施形態では、前記装置が、第１の複数の電極パッドを備える第１の湾曲部材と、第２の複数の電極パッドを備える第２の湾曲部材とを備え、前記第１の複数の電極パッド及び前記第２の複数の電極パッドは前記神経によって伝達される前記電気生理学的信号を検出するように構成され、第３の複数の電極パッドを備える第３の湾曲部材と、第４の複数の電極パッドを備える第４の湾曲部材とを備え、前記第３の複数の電極パッド及び前記第４の複数の電極パッドは前記電気パルスを放出するように構成され、前記第１の複数の電極、前記第２の複数の電極、前記第３の複数の電極、及び前記第４の複数の電極はそれぞれ、前記神経の長さに沿った異なる位置で前記神経に平行な前記軸の周りに放射状に配置されるように構成される。いくつかの実施形態では、前記第３の湾曲部材及び前記第４の湾曲部材は、前記神経の長さに沿って前記第１の湾曲部材と前記第２の湾曲部材との間に配置される。いくつかの実施形態では、前記装置は、前記電気生理学的信号を検出するか、又は前記電気パルスを放出するように構成された第５の複数の電極パッドを含む第５の湾曲部材をさらに備える。いくつかの実施形態では、前記第５の湾曲部材が、前記神経の長さに沿って前記第３の湾曲部材と前記第４の湾曲部材との間に配置される。いくつかの実施形態では、前記計算回路は、前記第１の複数の電極パッド、前記第２の複数の電極パッド、又は前記第５の複数の電極パッドのうちの１つ以上によって検出された前記電気生理学的信号に基づいて、前記電気生理学的信号を伝達する神経線維のサブセットを決定するように構成される。いくつかの実施形態では、前記電気生理学的信号を伝送する神経線維の前記サブセットが、質問器から受信したデータに基づいてさらに決定される。いくつかの実施形態では、前記第３の複数の電極パッド、又は前記第５の複数の電極パッド内の前記電極パッドは、前記神経内の神経線維の標的サブセットに前記電気パルスを放出するように選択的に活性化されるように構成される。
【００２１】
いくつかの実施形態では、前記装置は、第１の電極パッド及び第２の湾曲部材を含む第１の湾曲部材を備え、前記第１の電極パッド及び前記第２の電極パッドは、それぞれ、前記神経の長さに沿った異なる位置で、前記神経の長さに並行する前記軸を少なくとも部分的に取り囲むように構成される。いくつかの実施形態では、前記第１の電極パッド及び前記第２の電極パッドが前記神経によって伝達される前記電気生理学的信号を検出するように構成される。いくつかの実施形態では、前記装置は、前記神経の長さに沿って前記第１の湾曲部材と前記第２の湾曲部材との間の位置において、前記神経の長さに平行な前記軸を少なくとも部分的に取り囲むように構成された第３の電極パッドを含む第３の湾曲部材をさらに備える。いくつかの実施形態では、前記計算回路は、前記第１の電極パッド、前記第２の電極パッド、又は前記第３の電極パッドのうちの１つ以上によって検出された前記電気生理学的信号に基づいて、前記電気生理学的信号を伝達する神経線維のサブセットを決定するように構成される。いくつかの実施形態では、前記電気生理学的信号を伝達する神経線維の前記サブセットが、インテロゲータから受信したデータに基づいてさらに決定される。いくつかの実施形態では、前記第１の電極パッド、前記第２の電極パッド、又は前記第３の電極パッドは、前記神経に前記電気パルスを放出するように構成されている。いくつかの実施形態では、前記第１の電極パッド、前記第２の電極パッド、又は前記第３の電極パッドは、前記神経内の神経線維の標的サブセットに前記電気パルスを放出するように選択的に活性化されるように構成される。
【００２２】
いくつかの実施形態では、前記装置が、第１の電極パッドを備える第１の湾曲部材と、第２の電極パッドを備える第２の湾曲部材とを備え、前記第１の電極パッド及び前記第２の電極パッドは前記神経によって伝達される前記電気生理学的信号を検出するように構成され、第３の電極パッドを備える第３の湾曲部材と、第４の電極パッドを備える第４の湾曲部材とを備え、前記第３の電極パッド及び前記第４の電極パッドは前記電気パルスを放出するように構成され、前記第１の電極、前記第２の電極、前記第３の電極、及び前記第４の電極はそれぞれ、前記神経の長さに沿った異なる位置で前記神経に平行な前記軸を少なくとも部分的に取り囲むように構成される。いくつかの実施形態では、前記第３の湾曲部材及び前記第４の湾曲部材は、前記神経の長さに沿って前記第１の湾曲部材と前記第２の湾曲部材との間に配置される。いくつかの実施形態では、前記装置は、前記電気生理学的信号を検出するか、又は前記電気パルスを放出するように構成された第５の電極パッドを含む第５の湾曲部材をさらに備える。いくつかの実施形態では、前記第５の湾曲部材が、前記神経の長さに沿って前記第３の湾曲部材と前記第４の湾曲部材との間に配置される。いくつかの実施形態では、前記計算回路は、前記第１の電極パッド、前記第２の電極パッド、又は前記第５の電極パッドのうちの１つ以上によって検出された前記電気生理学的信号に基づいて、前記電気生理学的信号を伝達する神経線維のサブセットを決定するように構成される。いくつかの実施形態では、前記電気生理学的信号を伝達する神経線維の前記サブセットが、インテロゲータから受信したデータに基づいてさらに決定される。いくつかの実施形態では、前記第３の電極パッド、又は前記第５の電極パッドは、前記神経内の神経線維の標的サブセットに前記電気パルスを放出するように選択的に活性化されるように構成される。
【００２３】
いくつかの実施形態では、前記計算回路が、前記電気生理学的信号の方向又は速度を決定するように構成される。
【００２４】
いくつかの実施形態では、前記１つ以上の電極パッド又は前記複数の電極パッドは、前記神経の外側に配置され、前記神経と電気的に連絡するように構成される。
【００２５】
いくつかの実施形態では、前記１つ以上の電極パッド又は前記複数の電極パッドは、前記神経上膜に接するように構成される。いくつかの実施形態では、前記１つ以上の電極パッド又は前記複数の電極パッドは、１つ以上の位置で前記神経上膜を貫通するように構成される。
【００２６】
いくつかの実施形態では、前記計算回路は、前記検出信号又は前記検出信号の成分をダウンサンプリングするように構成される。いくつかの実施形態では、前記計算回路は、前記神経又は前記神経内の神経線維のサブセットによって伝達される複合活動電位又は前記複合活動電位のサブセットの向き、速度、周波数、大きさ、若しくは波形に基づいて、前記刺激信号を生成するように構成される。
【００２７】
いくつかの実施形態では、前記刺激信号は、前記装置によって放出される前記電気パルスのタイミング、大きさ、周波数、又は波形を含む。
【００２８】
さらに、本明細書では、上記装置のいずれか１つと、装置に電力を供給する超音波を放出するように構成されたインテロゲータとを備えるシステムが説明される。いくつかの実施形態では、前記インテロゲータは外部装置である。いくつかの実施形態では、前記装置は、前記検出された電気生理学的信号又は前記放出された電気パルスに基づいてデータを格納するように構成された非一時的メモリを備え、前記超音波変換器は、前記データの少なくとも一部を符号化する超音波後方散乱波を放出し、前記インテロゲータは、前記超音波後方散乱波を受信するように構成される。いくつかの実施形態では、前記インテロゲータがデータを復号するようにさらに構成される。
【００２９】
また、完全に埋め込まれた閉ループ神経調節装置上の超音波変換器で超音波を受信することと、前記装置に電力を供給する電気エネルギーに前記超音波を変換することと、前記装置を用いて、神経内の神経線維の標的サブセットによって伝達される電気生理学的信号を検出することと、前記装置を用いて、前記検出された電気生理学的信号に基づいて刺激信号を生成することと、前記装置を用いて、前記生成された刺激信号に基づいて前記神経に電気パルスを放出することと、を含む、神経活動を調節する方法が、本明細書で説明される。いくつかの実施形態では、前記電気パルスが、前記神経内の神経線維の第２の標的サブセットに放出される。
【００３０】
さらに、完全に埋め込まれた閉ループ神経調節装置上の超音波変換器で超音波を受信することと、前記装置に電力を供給する電力エネルギーに前記超音波を変換することと、前記装置を用いて、神経によって伝送される電気生理学的信号を検出することと、前記装置を用いて、前記検出された電気生理学的信号に基づいて刺激信号を生成することと、前記装置を用いて、前記生成された刺激信号に基づいて、前記神経内の神経線維の標的サブセットに電気パルスを放出することと、を含む、神経活動を調節する方法が、本明細書で説明される。
【００３１】
記載された方法のいくつかの実施形態では、前記方法は、前記装置内の電池に電気エネルギーを蓄積することを含む。いくつかの実施形態では、前記方法は、前記検出された電気生理学的信号又は前記放出された電気的パルスに基づくデータを前記装置内の非一時的メモリに格納することを含む。いくつかの実施形態では、前記データは、前記検出された電気生理学的信号又は前記放出された電気パルスのタイムスタンプ、周波数、振幅、波形、速度、又は方向を含む。
【００３２】
記載された方法のいくつかの実施形態では、前記方法は、インテロゲータからデータを受信することを含む。いくつかの実施形態では、前記データは、前記インテロゲータによって伝達される超音波で符号化される。いくつかの実施形態では、前記インテロゲータから受信した前記データが前記装置内の非一時的メモリに格納される。
【００３３】
記載された方法のいくつかの実施形態では、前記方法は、非一時的媒体上に格納された前記データの少なくとも一部を符号化する超音波後方散乱を放出することを含む。
【００３４】
記載された方法のいくつかの実施形態では、前記方法は、前記検出された電気生理学的信号の向き又は速度を決定することを含む。
【００３５】
記載された方法のいくつかの実施形態では、前記方法は、生理学的状態を検出又は測定することを含む。いくつかの実施形態では、前記生理学的状態は、検体の体温、ｐＨ、圧、心拍数、歪み、及び／又は存在もしくは量を含む。
【００３６】
記載された方法のいくつかの実施形態では、前記方法は、前記刺激信号を生成する前に、前記検出された電気生理学的信号をダウンサンプリングすることを含む。
【００３７】
記載されたいくつかの実施形態では、前記刺激信号は、前記検出された電気生理学的信号の周波数、振幅、又は波形に基づいて生成される。
【図面の簡単な説明】
【００３８】
【図１】本明細書に記載される埋め込み可能な閉ループ神経調節装置のための例示的な本体の概略図を示す。
【００３９】
【図２Ａ】本体から延在し、神経上に埋め込まれる２つの湾曲部材（断面として示される）を有する例示的な埋め込み可能な神経調節装置を示す。この湾曲部材は神経を部分的に囲み、湾曲部材に沿って配置された複数の電極パッドを含む。
【００４０】
【図２Ｂ】神経を実質的に囲む湾曲部材（断面として示される）を有する例示的な埋め込み可能な神経調節装置を示す。この湾曲部材は、神経を、湾曲部材と同程度ではないが部分的に囲む電極パッドを含む。
【００４１】
【図３Ａ】本体から延び、神経上に埋め込まれた５つの湾曲部材を有する例示的な埋め込み可能な閉ループ神経調節装置の正面図を示す。
【図３Ｂ】図３Ａに示された装置の側面図を示す。
【図３Ｃ】図３Ａに示された装置の上面図を示す。
【００４２】
【図４】超音波変換器を介して埋め込み可能な装置と通信するインテロゲータを示す。このインテロゲータは搬送波を放出し、この搬送波は埋め込み可能な装置によって受信される。次に、この埋め込み可能な装置は超音波後方散乱を発し、これをインテロゲータが受信することができる。任意選択で、超音波後方散乱は、埋め込み可能な装置に関するデータ又は情報を符号化する。
【００４３】
【図５】本明細書に記載される埋め込み可能な装置を含むシステムにおいて使用され得る例示的なインテロゲータを示す。
【発明を実施するための形態】
【００４４】
神経又は他の糸状組織を少なくとも部分的に囲む１つ以上の湾曲部材を含み、１つ以上の電極パッドを含む、埋め込み可能な閉ループ神経調節装置が、本明細書に記載される。この１つ以上の電極パッドは例えば、湾曲部材に沿って配置された複数の電極であってもよく、又は神経を少なくとも部分的に囲む湾曲電極パッドであってもよい。この１つ以上の湾曲部材は、１つ以上の超音波変換器と、電気生理学的信号を検出する装置に応じて刺激パルスをオンボードで計算するための計算回路とを収容する装置本体から延びる。この１つ以上の超音波変換器は、超音波を受信し、その超音波からのエネルギーを装置に電力を供給することができる電気エネルギーに変換することができる。この装置のいくつかの実施形態では、電気エネルギーは電池に蓄積され、その電池は装置の本体に収容される。この電気エネルギーは、電極パッドに電気的に接続されている計算回路に電力を供給する。
【００４５】
この計算回路は、装置によって検出された電気生理学的信号に応じて電気パルスを装置が放出することができるように、オンボード計算を可能にする。例えば、神経によって伝達される電気生理学的信号は装置の１つ以上の湾曲部材のうちの少なくとも１つの上の１つ以上（例えば、複数）の電極パッドによって検出され得る。電気生理学的信号からの（フィルタリングされ、デジタル化され、圧縮され、そうでなければ他の方法で処理されてもよい）検出信号は、計算回路によって受信され、この計算回路は、その検出信号を使用して刺激信号を生成する。この計算回路はさらに、生成された刺激信号に基づいて電気パルスを放出するために、１つ以上の湾曲部材（電気生理学的信号を検出した１つ以上の電極及び／又は湾曲部材と同じであっても異なっていてもよい）のうちの少なくとも１つの上の１つ以上の電極パッドを動作させることができる。
【００４６】
この湾曲部材は１つ以上の電極パッドを含み、神経を少なくとも部分的に囲むように構成される。例えば、いくつかの実施形態では１つ以上の湾曲部材が、この湾曲部材に沿って配置された複数の電極パッドを備えるか、又は１つ以上の湾曲部材は神経を少なくとも部分的に囲む湾曲電極パッドを備える。この構成は、神経活動の標的化された検出又は刺激を可能にする。例えば、電極パッドのサブセットは、神経線維のサブセットに電気パルスを標的化するために活性化され得る。さらに、この装置は、複数の電極パッドを使用して電気生理学的信号を検出し、伝達サブセットを決定するために電極パッドによって検出された信号を解読することによって、神経線維のサブセットによって伝達された電気生理学的信号を検出することができる。したがって、この装置は、神経内の標的繊維束からの電気生理学的信号を検出するか、又は神経内の標的繊維束に電気パルスを放出するように構成することができる。
【００４７】
検出された電気生理学的信号又は放出された電気的パルスに関連するデータは、装置の本体内の非一時的なメモリに格納され得る。このデータは、例えば、１つ以上の超音波変換器によって放出された超音波後方散乱波でデータをエンコードすることによって、外部装置に伝達されることができる。インテロゲータは超音波を装置に送信することができ、例えば、この装置の１つ以上の超音波変換器によって電気エネルギに変換される超音波と、超音波後方散乱波とが放出される。データを符号化するために１つ以上の超音波変換器を流れる電流を変調することができ、これにより、１つ以上の超音波変換器によって放出される超音波後方散乱波がそのデータを符号化する。
【００４８】
神経活動を調節する方法が、本明細書にさらに記載される。この方法は、埋め込まれた閉ループ神経変調装置の１つ以上の超音波変換器で超音波を受信することと、超音波を、装置に電力を供給する電気エネルギーに変換することとを含むことができる。この装置は、神経内の標的シグナリング繊維束によって伝達される電気生理学的信号を検出するために使用される。次いで、この装置は、検出された電気生理学的信号を使用して刺激信号を自動的に生成し、生成された刺激信号に基づいて神経に電気パルスを放出するために使用される。この電気パルスは神経内の標的受信繊維束に標的化され得るが、これは標的化されたシグナリング繊維束と同じであってもよいし、又は異なるものであってもよい。
【００４９】
別の実施形態では、神経活動を変調する方法が、完全に埋め込まれた閉ループ神経変調装置上の１つ以上の超音波変換器で超音波を受信することと、超音波を、装置に電力を供給する電気エネルギーに変換することとを含む。この装置は、神経によって伝達される電気生理学的信号を検出するために使用される。次いで、この装置は、検出された電気生理学的信号に基づいて刺激信号を生成し、生成された刺激信号に基づいて神経内の標的受信繊維束に電気パルスを放出するために使用される。
【００５０】
［定義］
本明細書で使用されるように、単数形「ａ」、「ａｎ」、及び「ｔｈｅ」は文脈が明らかにそわないことを指示しない限り、複数の参照を含む。
【００５１】
本明細書では、「約」若しくは「おおよそ」の値又はパラメータへの参照は、その値又はパラメータそれ自体に向けられた変動を含む（及び記載する）。例えば、「約Ｘ」を指す記載は「Ｘ」の記載を含む。
【００５２】
本明細書に記載される本発明の態様及び変形は、「それからなる」及び／又は「本質的にそれからなる」態様及び変形を含むことが理解される。
【００５３】
「埋め込み可能」及び「埋め込まれた」という用語はオブジェクトの一部が被験者の体表を破ることがないように、被験者に完全に埋め込み可能な、又は完全に埋め込まれたオブジェクトを指す。
【００５４】
「実質的に」という用語は、９０％以上を指す。例えば、神経の交差セクションを実質的に取り囲む湾曲部材は、神経の交差セクションの９０％以上を取り囲む湾曲部材を指す。
【００５５】
本明細書では、用語「被験者」及び「患者」は、脊椎動物を指すために互換的に使用される。
【００５６】
本明細書では、用語「治療する」、「治療すること」、及び「治療」は、少なくとも１つの症状の軽減、阻害、抑制、若しくは排除を介した異常の改善、疾患若しくは異常の進行の遅延、疾患若しくは異常の再発の遅延、又は疾患若しくは異常の阻害を含む、病状又は異常に苦しむ被験者に利益を提供する任意の行為を同義に指す。
【００５７】
値の範囲が提供される場合、その範囲の上限と下限との間の各介在値、及びその明言された範囲内の任意の他の明言された値又は介在値は、本開示の範囲内に包含されることが理解されるべきである。明言された範囲が上限又は下限を含む場合、それらの何れかを除外する範囲もまた、本開示に含まれる。
【００５８】
本明細書で記載される様々な実施形態の特性のうちの１つ、いくつか、又はすべては、本発明の他の実施形態を形成するために組み合わせられてもよいことは理解されるべきである。本明細書で使用される項目見出しは、構成的な目的のためでしかなく、記載される主題を制限すると解釈すべきではない。
【００５９】
「実施形態」に関連して上述した特徴及び選好は別個の選好であり、その特定の実施形態のみに限定されるものではなく、技術的に実現可能な他の実施形態からの特徴と自由に組み合わせられてもよく、特徴の好ましい組み合わせを形成してもよい。この記載は当業者が本発明を作成及び使用することを可能にするために提示され、特許出願及びその要件の文脈で提供される。記載された実施形態に対する種々の変形は当業者に容易に明らかであり、本明細書での一般的な原理は他の実施形態に適用されてもよい。したがって、本発明は、示された実施形態に限定されることを意図するものではなく、本明細書に記載された原理及び特徴と一致する最も広い範囲を与えられるべきである。
【００６０】
［埋め込み可能な閉ループ神経調節装置 ］
埋め込み可能な神経調節装置は、神経又は神経線維のサブセットからの電気生理学的信号を検出し、検出された電気生理学的信号に応じて、神経又はその神経の神経線維のサブセット（これは、電気生理学的信号が検出されたのと同じ又は異なる神経線維のサブセットであってもよい）に電気パルスを放出することができる閉ループ装置である。いくつかの実施形態では、この埋め込み可能な装置が複合活動電位（若しくは複合活動電位のサブセット）、又は電気生理学的信号の他の調節を検出し、その電気パルスは、検出された複合活動電位（若しくはそのサブセット）、又は電気生理学的信号の他の調節に応じて放出される。検出された電気生理学的信号に応じた刺激信号の生成のための処理は、計算回路を用いたオンボード計算によって行われる。したがって、検出された電気生理学的信号に応じて電気パルスを放出するために、外部通信は必要とされない。
【００６１】
埋め込み可能な閉ループ神経調節装置は、神経を取り囲むように構成された１つ以上の湾曲部材を含み、神経によって伝達される電気生理学的信号を検出し、及び／又は電気パルスを放出することによって神経を刺激することができる１つ以上の（例えば、複数の）電極パッドを含む。この装置は、電気生理学的信号を検出するように構成された第１の部分と、電気パルスを放出するように構成された第２の部分とを有する複数の湾曲部材を含むことができる。この湾曲部材は、電極パッドが、埋め込まれたときに神経と電気的に連通して配置することができるように、湾曲部材の内面上に１つ以上（例えば、複数）の電極パッドを含むことができる。例えばこの湾曲部材は、湾曲部材に沿って配置され、神経を少なくとも部分的に包囲する複数の電極パッドを含んでいてもよく、この湾曲部材は、神経を少なくとも部分的に囲む湾曲電極パッドを含んでいてもよい。
【００６２】
いくつかの実施形態では、この湾曲部材が神経の交差セクションを実質的に取り囲み、電極パッドが、湾曲部材の内面上に、神経の長さに沿った軸の周りに放射状に配置される。この構成では、電極パッドが神経の交差セクションと円形に整列される。
【００６３】
いくつかの実施形態では、湾曲部材が複数の電極パッドを含み、この電極パッドは神経の長さに並行する軸の周りに放射状に配置され、埋め込み可能な装置が埋め込まれるときに神経と電気的に連絡する。この湾曲部材は、超音波を受信し、超音波からのエネルギーを電気エネルギーに変換するように構成された１つ以上の超音波変換器と、複数の電極パッドに電気的に接続された計算回路とを含む本体から延びる。いくつかの実施形態では、埋め込み可能な装置が１つ、２つ、３つ、又はそれ以上の超音波変換器を含む。
【００６４】
この装置の本体は、計算回路、変調回路、検出回路、及び刺激回路を含む集積回路を収容することができる。この計算回路は、１つ以上の湾曲部材上の複数の電極パッドに電気的に接続され、電極パッドを介して電気パルスを放出するか又は電気生理学的信号を検出するために、電極パッドを動作させるように構成される。例えば、計算回路は、検出信号を受信し、検出信号を用いて刺激信号を生成し、１つ以上の湾曲部材の少なくとも１つの複数の電極パッドを動作させて、刺激信号に基づいて神経に電気パルスを放出するように構成される。この検出信号は、検出された電気生理学的信号に基づく。任意で、検出信号は追加の生理学的状態、例えば、体温、圧力、心拍数、ｐＨ、又は検体の検出若しくは濃縮にさらに基づくことができる。すなわち、検出信号は、任意で、検出された電気生理学的信号成分及び検出された生理学的状態成分を含むことができる。いくつかの実施形態では、この生理学的状態が、本明細書でさらに説明されるように、装置上にあってもよいセンサを使用して検出又は測定される。
【００６５】
計算回路は、デジタル回路、アナログ回路、又は混合信号集積回路とすることができる。例示的な計算回路は、マイクロプロセッサ、有限状態機械（ＦＳＭ）、フィールドプログラマブルゲートアレイ（ＦＰＧＡ）、及びマイクロコントローラを含む。いくつかの実施形態では、集積回路は、計算回路によってアクセスされ得る揮発性メモリを含む。
【００６６】
いくつかの実施形態では、計算回路は、本明細書でさらに記載されるように、電気パルスの標的放出のために、複数の電極パッド内の電極パッドを選択的に活性化するように構成される。
【００６７】
電極パッド信号が神経と電気的に連絡しているとき、神経によって伝達される電気生理学的信号は、電極パッドによって検出される。電気生理学的信号は基準信号を含むことができ、神経によって伝達される活動電位又は複合活動電位は、電気生理学的信号の変調をもたらす。装置の電極パッドで検出した電気生理学的信号に基づく検出信号を計算回路で受信する。計算回路によって受信される検出信号は、装置によって検知される未加工の電気生理学的信号であってもよく、又は電気生理学的信号は、計算回路によって受信される前に処理（例えば、増幅、デジタル化、及び／又はフィルタリング）されてもよい。いくつかの実施形態では、検出信号は検知された電気生理学的信号成分及び生理学的状態成分を含み、これらは刺激信号を生成するために、計算回路によって一緒に解析されることができる。いくつかの実施形態では、検出信号（又は検出信号の検出された電気生理学的信号成分）は、計算回路又は装置内の他の適切な回路によって圧縮される。この検出信号の圧縮は、計算回路によるより高速でよりエネルギー効率的な処理を可能にし、これはより効率的な閉ループ装置を可能にする。例えば、オンボード電池の電池寿命はデータ処理が少ないほど長くなり、検出信号の受信と刺激信号の生成との間の遅延時間が減少する。例として、検出信号の圧縮は、検出信号内のデータ点の一部を保持することによって、検出信号をダウンサンプリングすることを含むことができる。別の実施形態では、いくつかの実施形態ではデジタル信号が基準閾値を超える電気生理学的信号スパイクを識別し、電気生理学的信号スパイクに関連付けられたタイムスタンプを計算回路へのインプットとして使用することによって圧縮される。いくつかの実施形態では、検出信号がある期間にわたって検出された平均信号（電気生理学的信号、生理学的状態、又はその両方）である可能性のある基準信号と比較され得る。この時間は例えば、約１分以上（例えば、約２分以上、約５分以上、約１０分以上、約１５分以上、約３０分以上、又は約４５分以上）であり得る。いくつかの実施形態では、約１時間以下（例えば、約４５分以下、約３０分以下、約１５分以下、約１０分以下、約５分以下、又は約２分以下）である。基準信号からの検出信号の検出された逸脱は、刺激信号の生成をトリガするために使用され得る。例えば、いくつかの実施形態では、変調された電気生理学的信号の振幅が基準電気生理学的信号を上回るか、又は所定の振幅閾値を上回る場合、検出された変調は信号入力であり、これは時間次元における１つ以上の追加の検出された変調に関連付けられ得る。いくつかの実施形態では、計算信号は、非圧縮（例えば未加工の）信号を解析する。
【００６８】
いくつかの実施形態では、検出信号の検出された電気生理学的信号成分は、例えば、神経又は神経内の神経線維のサブセットによって伝達される、速度、向き、周波数、振幅、複合活動電位の波形、又は複合活動電位のサブセット（１つ以上の活動電位など）を含む。検出された電気生理学的信号成分は、電気生理学的信号が検出された神経線維のサブセット（すなわち、神経内の神経線維のサブセットの位置）に関連する情報を追加的又は代替的に含んでもよい。この情報は、例えばテンプレート検出信号を選択する、及び／又は刺激信号を生成するために、計算回路によって使用されることができる。
【００６９】
検出回路は、集積回路に含めることができ、電気生理学的信号を検知するように構成された複数の電極パッドに電気的に接続することができる。この検出回路は、任意で、アナログデジタルコンバータ（ＡＤＣ）、１つ以上のフィルタ、及び／又は１つ以上の増幅器を含むこともできる。
【００７０】
任意で、埋め込み可能な装置は、検体、ｐＨ、温度、緊張、脈拍数、又は圧力（例えば、血圧）などの生理学的状態を測定又は検出するように構成された１つ以上のセンサをさらに含む。埋め込み可能な装置によって検出された生理学的状態は、任意で、検出された電気生理学的信号に加えて、計算回路によって受信された検出信号の成分とすることができる。従って、検出された電気生理学的信号成分と、追加的に検出された生理学的状態成分とを含む検出信号は、シミュレート信号を生成するために計算回路によって使用される。
【００７１】
この検出信号は、様々な時点で検出され得る１つ以上の検出された信号（電気生理学的信号及び／又は生理学的状態）を含むことができる。この信号のためのタイムスタンプは、検出信号に関連付けることができ、計算回路による解析のための検出信号に含めることができる。例えば、ある期間内に所定の数の検出された電気生理学的信号スパイクを含む検出信号は、計算回路による刺激信号の生成をもたらすことができる。
【００７２】
この計算回路は、検出信号を用いて刺激信号を生成するために、その検出信号を解析することができる。この解析は、例えば、刺激信号の生成のためのトリガとして作用することができる検出信号の変調（検出された電気生理学的信号、検出された生理学的状態、又はその両方の変調など）を識別することを含むことができる。この電気生理学的信号の変調は、例えば、神経によって伝達されている複合活動電位又は複合活動電位の成分（例えば、１つ以上の活動電位）を表すことができる。刺激信号は、検出信号と刺激信号との間の数学的関連性を使用して生成することができる。このように、計算回路は、刺激信号を生成するために、検出信号を数学的関係に入力することができる。この数学的関係は例えば、機械学習を用いて決定することができ、又は事前に選択された数学的関係とすることができる。いくつかの実施形態では、演算回路がデジタルロジック、アナログロジック、人工ニューラルネットワーク、畳み込みニューラルネットワーク（ＣＮＮ）、又はニューロモルフィック演算を用いて、基準信号からの検出信号の逸脱を検出する。
【００７３】
いくつかの実施形態では、刺激信号を生成することは検出信号（検出された電気生理学的信号成分及び／又は検出された生理学的信号成分を含み得る）をテンプレート検出信号と比較することを含み得、この刺激信号は検出信号とテンプレート検出信号との間の分散又は類似性に基づいて生成される。１つ以上のテンプレート検出信号は、例えば、装置の本体内の非一時的なメモリ上に格納され得る。計算回路は例えば、検出された電気生理学的信号とテンプレート電気生理学的信号との間の分散又は類似性を検出するために、デジタルロジック、アナログロジック、人工ニューラルネットワーク、畳み込みニューラルネットワーク（ＣＮＮ）、又はニューロモルフィック演算を使用することができる。
【００７４】
計算回路によって生成される刺激信号は、装置によって放出されるべき電気パルスについての情報、例えば、大きさ、周波数、波形、又は神経内の標的位置（すなわち、神経線維のサブセット）を含むことができる。いくつかの実施形態では、１つ以上のテンプレートパルスが装置内（例えば、装置の本体内）の非一時的なメモリに格納される。計算回路は、検出信号を使用して非一時的メモリからテンプレートを検索することによって、刺激信号を生成することができる。例えば、刺激信号を生成することは、検出信号を分析することと、分析された検出信号に基づいて非一時的メモリからテンプレートパルスを取り出すことと、取り出されたテンプレートパルスに基づいて刺激信号を生成することとを含むことができる。検出信号が基線から変調されるかどうか、又はどのように変調されるか、又はテンプレート検出信号と比較されるかによることで、検出信号は、どのテンプレートパルスが取り出されるか、又は刺激信号が生成されるかを決定することができる。
【００７５】
集積回路は刺激回路を含むことができ、この刺激回路は、計算回路によって動作され、電気生理学的パルスを放出する電極パッドに電気的に接続される。この刺激回路は、電池によって充電され得るか、又は１つ以上の超音波変換器によって超音波から変換された電気エネルギーであり得る刺激コンデンサを含み得る。刺激コンデンサの状態、例えばコンデンサ電荷は、計算回路によって決定することができる。任意で、刺激コンデンサの状態は、非一時的メモリ上に記録されるか、又は計算回路によって動作される変調回路を介して超音波後方散乱波で符号化される。
【００７６】
この計算回路は、刺激信号に基づいて神経に電気パルスを放出するために、１つ以上の湾曲部材のうちの少なくとも１つの電極パッドを動作させる。例えば、この刺激信号は、パルスの大きさ、周波数、及び／又は波形を含むことができ、計算回路は、刺激信号に従ってパルスを放出するように電極パッドを制御する。この装置は、装置の本体内などに、電荷を蓄積し、計算回路によって制御されるコンデンサ（すなわち、刺激コンデンサ）を含むことができる。この計算回路は、電極パッドを通して電気パルスを放出するようにコンデンサを制御する。いくつかの実施形態では、計算回路は、コンデンサの充電のような刺激コンデンサの状態を決定するように構成される。このコンデンサの状態は、非一時的なメモリに記憶される、及び／又は超音波後方散乱波で符号化されることができる。
【００７７】
いくつかの実施形態では、埋め込み可能な装置は、１つ以上の超音波変換器から電気エネルギーを受け取り、計算回路に電力を供給するように構成された電池をさらに含む。この電池の包含は、計算回路に、外部電源なしで、電気生理学的信号を検出すること、又は神経に電気パルスを放出することを含むを機能を可能にする。この電池は、埋め込み可能装置の本体内に収納することができる。この電池は例えば、再充電可能な電気化学電池であってもよい。この電池によって蓄積されたエネルギーは、例えば、１つ以上の超音波変換器が超音波を受信していない場合に、装置に電力を供給することができる。この電池は、１つ以上の超音波変換器によって受信されるインテロゲータを使用して超音波を装置に送信することによって充電することができる。この１つ以上の超音波変換器は、超音波を電気エネルギーに変換し、電池に電気的に接続される。このようにして、電気エネルギーは、装置の電池を充電する。
【００７８】
埋め込み可能な閉ループ神経調節装置は、この装置によって検出された電気生理学的信号に、又はこの装置によって放出された電気パルスに基づいてデータを格納するように構成された非一時的メモリを含むこともできる。このデータは例えば、検出された活動電位又は複合活動電位のタイムスタンプ、速度、向き、振幅、周波数、若しくは波形、及び／又は埋め込み可能な装置によって放出された電気パルスのタイムスタンプ、振幅、周波数、若しくは波形を含むことができる。いくつかの実施形態では、非一時的メモリが検出された生理学的状態（例えば、検体の体温、ｐＨ、気圧、心拍数、緊張、及び／又は存在もしくは量）に関連するデータを格納することができる。非一時的メモリに記憶されたデータはある期間（約１分以上、約５分以上、約１０分以上、約１５分以上、約３０分以上、約４５分以上、約１時間以上、約２時間以上、約４時間以上、約６時間以上、約８時間以上、約１２時間以上、又は約２４時間以上など）にわたって取得されてもよい。
【００７９】
いくつかの実施形態では、この装置は、超音波後方散乱波で非一時的メモリに格納されたデータの少なくとも一部を符号化するように構成される。これにより、データを無線でインテロゲータに送信することが可能になり、このインテロゲータは被験者に埋め込まれていてもよく、被験者の外部にあってもよい。超音波後方散乱波で符号化したデータは圧縮できる。圧縮は例えば、埋め込み可能な装置とインテロゲータとの間の帯域幅の限界に起因して、データの効率的な伝達のために使用されてもよい。例えば、データ圧縮は、検出信号からのダウンサンプリングされたデータ、処理されたデータ、又は信号内の１つ以上の特徴（検出された電気生理学的信号スパイクのタイムスタンプなど）を送信することを含むことができる。この埋め込み可能な装置は、１つ以上の超音波変換器に電気的に接続された変調回路を含むことができる。インテロゲータから超音波を受信すると、１つ以上の超音波変換器及び変調回路を通って流れる電流が生成される。この計算回路は、非一時的メモリ上に格納されたデータを電流上に符号化するために、変調回路を動作させることができる。この装置の１つ以上の超音波変換器は、超音波後方散乱波を放出し、これは、電流に符号化されたデータを符号化することができる。超音波後方散乱波は、埋め込み可能な装置に超音波を送信するインテロゲータと同じであっても異なっていてもよいインテロゲータによって受信することができ、超音波後方散乱波に符号化されたデータが解読され得る。
【００８０】
この非一時的メモリは、インテロゲータから装置に伝達されたデータを格納するために使用することもできる。このインテロゲータは、埋め込み可能な装置によって受信され、非一時的メモリ上に格納され得るデータ（体温データ、又は被験者の血中又は間質液中の検体濃度などの他の何らかの生理学的状態に関連するデータなど）を伝達することができる。このデータは例えば、データをエンコードする超音波を介して伝達することができる。インテロゲータは超音波を送信することができ、この超音波は、この装置の超音波変換器によって受信され、計算回路によって解読される。
【００８１】
非一時的メモリは、この装置を動作させるための１つ以上の命令を格納することができ、これは、計算回路を使用して実行することができる。例えば、非一時的メモリは、検出された電気生理学的信号に基づいて検出信号を受信し、検出信号を使用して刺激信号を生成し、刺激信号に基づいて神経に電気パルスを放出するために、１つ以上の湾曲部材のうちの少なくとも１つの複数の電極パッドを動作させるための命令を含むことができる。いくつかの実施形態では、非一時的メモリは、電気パルスの標的放出のために、複数の電極を用いて１つ以上の電極を選択的に活性化させるための命令を含む。いくつかの実施形態では、非一時的メモリは、例えば、基線電気生理学的信号（及び／又は生理学的状態）と比較された検出された電気生理学的信号（及び／又は生理学的状態）の分散値を決定することによって、検出された電気生理学的信号（及び任意で、測定された生理学的状態）を解析するための命令を含む。いくつかの実施形態では、非一時的メモリは、検出された電気生理学的信号（及び／又は生理学的状態）をテンプレート電気生理学的信号（及び／又は生理学的状態）と比較するための命令を含む。
【００８２】
図１は、本明細書に記載される埋め込み可能な閉ループ神経調節装置のための例示的な本体の概略図を示す。この本体は、電池と変調回路に電気的に接続された超音波変換器を含む。この電池は、非一時的メモリ及び変調回路に電気的に接続された計算回路に電気的に接続され、電力を供給する。この計算回路はまた、電気的に接続され、刺激回路又は検出回路を介して装置の湾曲部材又は湾曲部材上の電極を動作させるように構成される。この超音波は超音波変換器で受信され、超音波からのエネルギーを、電池を充電する電気エネルギーに変換する。この装置上の電極は、電気生理学的信号を検出するように構成され、電気生理学的信号に基づく検出信号は計算回路によって受信される。計算回路によって受信された検出信号は、計算回路によって受信される前に、検出回路によって処理（例えば、増幅、デジタル化、及び／又はフィルタリング）されてもよい。任意で、この計算回路は、検出された電気生理学的信号に関連するデータを格納するために非一時的メモリにアクセスする。この計算回路は、検出信号に基づいて刺激信号を生成し、刺激信号に基づいて神経に電気パルスを放出するよう電極を動作させることができる。任意で、この計算回路は、神経に放出された刺激信号又はパルスに関連する情報を格納するために、非一時的メモリにアクセスする。非一時的メモリに格納されたデータは、超音波変換器によって放出された超音波後方散乱波を介して無線で伝達することができる。超音波変換器は超音波を受信し、変調回路を流れる電流を生成する。計算回路はメモリにアクセスし、データを符号化するために変調回路を流れる電流を変調するよう、変調回路を動作させる。超音波変換器によって放出される超音波後方散乱波は、それによってデータを符号化する。
【００８３】
いくつかの実施形態では、本体がハウジングを含み、このハウジングは基部、１つ以上の側壁、及び頂部を含むことができる。このハウジングはは、１つ以上の超音波変換器及び集積回路（計算回路、非一時的メモリ、電池、変調回路、検出回路、及び／又は刺激回路（刺激コンデンサを含むことができる）を含む）を囲むことができる。間質液が超音波変換器及び／又は集積回路と接触するのを防止するために、ハウジングは（例えば、はんだ付け又はレーザ溶接によって）密閉されてもよい。ハウジングは好ましくは生体不活性金属（例えば、鋼又はチタン）又は生体不活性セラミック（例えば、チタニア又はアルミナ）などの生体不活性材料から作成される。ハウジング（又はハウジングの頂部）は、超音波がハウジングを貫通することを可能にするように薄くてもよい。いくつかの実施形態では、ハウジングの厚さは約７５マイクロメートル（μｍ）以下、約５０μｍ以下、約２５μｍ以下、又は約１０μｍ以下など、約１００μｍ以下の厚さである。いくつかの実施形態では、ハウジングの厚さは約５μｍ〜約１０μｍ、約１０μｍ〜約２５μｍ、約２５μｍ〜約５０μｍ、約５０μｍ〜約７５μｍ、又は約７５μｍ〜約１００μｍの厚さである。
【００８４】
埋め込み可能な装置の本体は比較的小さく、これは、埋め込み可能な装置にしばしば関連付けられる組織炎症を制限する一方で、快適かつ長期間の埋め込みを可能にする。いくつかの実施形態では、装置の本体の最長寸法は約５ｍｍ〜約９ｍｍ、又は約６ｍｍ〜約８ｍｍなど、約１０ｍｍ以下である。
【００８５】
いくつかの実施形態では、本体がハウジング内にポリマーなどの素材を含む。この素材はハウジングの外部の組織とハウジング内の組織との間の音響インピーダンス不整合を低減するために、ハウジング内の空きスペースを埋めることができる。したがって、装置の本体は、好ましくは空気が全くない又は真空である。
【００８６】
埋め込み可能な装置の１つ以上の超音波変換器は、容量型微細加工超音波変換器（ＣＭＵＴ）若しくは圧電微細加工超音波変換器（ＰＭＵＴ）などの微細加工超音波変換器とすることができ、又はバルク圧電変換器とすることができる。バルク圧電変換器は、結晶、セラミック、又はポリマーなどの任意の天然又は合成材料とすることができる。例示的なバルク圧電変換器データは、チタン酸バリウム(ＢａＴｉＯ３)、チタン酸ジルコン酸鉛（ＰＺＴ）、酸化亜鉛（ＺＯ）、窒化アルミニウム（ＡｌＮ）、水晶、ベルリナイト（ＡｌＰＯ４）、トパズ、ランガサイト（Ｌａ３Ｇａ５ＳｉＯ１４）、オルトリン酸ガリウム（ＧａＰＯ４）、ニオブ酸リチウム(ＬｉＮｂＯ３)、タンタル酸リチウム(ＬｉＴａＯ３)、ニオブ酸カリウム(ＫＮｂＯ３)、タングステン酸ナトリウム（Ｎａ２Ｗｏ３）、ビスマスフェライト(ＢｉＦｅＯ３)、ポリフッ化ビニリデン（ＰＶＤＦ）、及びニオブ酸鉛マグネシウム−チタン酸鉛（ＰＭＮ−ＰＴ）を含む。
【００８７】
いくつかの実施形態では、バルク圧電変換器はほぼ立方体（すなわち、約１：１：１（長さ：幅：高さ）のアスペクト比）である。いくつかの実施形態では、圧電変換器は、長さ又は幅アスペクトの何れかにおいて、約７：５：１以上、又は約１０：１０：１以上など、約５：５：１以上のアスペクト比を有する板状である。いくつかの実施形態では、バルク圧電変換器は、約３：１：１以上のアスペクト比で長く狭く、その最長寸法は超音波後方散乱波の方向（すなわち、分極軸）に整列される。いくつかの実施形態では、バルク圧電変換器の１寸法は、変換器の駆動周波数又は共振周波数に対応する波長（λ）の１／２に等しい。この共振周波数において、変換器の何れかの面に衝突する超音波は、逆位相に達するために１８０°の位相シフトを受け、２つの面の間で最大の変位を引き起こすだろう。いくつかの実施形態では、圧電変換器の高さは(約４０μｍ〜約４００μｍ、約１００μｍ〜約２５０μｍ、約２５０μｍ〜約５００μｍ、又は約５００μｍ〜約１０００μｍなど）約１０μｍ〜約１０００μｍである。いくつかの実施形態では、圧電変換器の高さは（約４ｍｍ以下、約３ｍｍ以下、約２ｍｍ以下、約１ｍｍ以下、約５００μｍ以下、約４００μｍ以下、２５０μｍ以下、約１００μｍ以下、又は約４０μｍ以下など）約５ｍｍ以下である。いくつかの実施形態では、圧電変換器の高さは、長さが（約４０μｍ以上、約１００μｍ以上、約２５０μｍ以上、約４００μｍ以上、約５００μｍ以上、約１ｍｍ以上、約２ｍｍ以上、約３ｍｍ以上、又は約４ｍｍ以上など）約２０μｍ以上である。
【００８８】
いくつかの実施形態では、１つ以上の超音波変換器は、最長寸法において（約４ｍｍ以下、約３ｍｍ以下、約２ｍｍ以下、約１ｍｍ以下、約５００μｍ以下、約４００μｍ以下、２５０μｍ以下、約１００μｍ以下、又は約４０μｍ以下など）約５ｍｍ以下の長さを有する。いくつかの実施形態では、超音波変換器は、最長寸法において（約４０μｍ以上、約１００μｍ以上、約２５０μｍ以上、約４００μｍ以上、約５００μｍ以上、約１ｍｍ以上、約２ｍｍ以上、約３ｍｍ以上、又は約４ｍｍ以上など）約２０μｍ以上の長さを有する。
【００８９】
この超音波変換器は、計算回路との電気通信を可能にするために、２つの電極と接続される。第１の電極は変換器の第１の面に取り付けられ、第２の電極は変換器の第２の面に取り付けられ、ここで第１の面及び第２の面は、１つの寸法に沿って変換器の対向する側面である。いくつかの実施形態では、電極は、銀、金、白金、白金黒、ポリ（３，４−エチレンジオキシチオフェン（ＰＥＤＯＴ））、導電性ポリマー（導電性ＰＤＭＳ又はポリイミドなど）、又はニッケルを含む。いくつかの実施形態では、変換器の電極間の軸が変換器の動きと直交する。
【００９０】
この装置の湾曲部材は、装置の本体から伸びて、神経を少なくとも部分的に取り囲み、１つ以上の電極パッドがこの湾曲部材上に含まれる。電極パッドは例えば、神経によって伝達される電気生理学的信号を検出するために、及び／又は神経に１つ以上の電気パルスを放出するために、その神経と電気的に連絡するように構成され得る。例えば、その１つ以上の電極パッドは、湾曲部材の内面上にあってもよく、１つ以上の湾曲部材は、装置を神経又は他の糸状組織に固定し、電極パッドを配置するために、神経を含む神経又は糸状組織（神経に接続された血管など）に係合してもよい。
【００９１】
湾曲部材は可撓性であってもよく、これは装置の移植中に湾曲部材の変形を可能にする。例えば、硬化した部材は、装置が神経上に配置されている間に、外側に曲げられてもよい。湾曲部材の解放は、湾曲部材が神経又は神経を包含する糸状組織の周りに巻き付くことを可能にする。任意で、湾曲部材は、装置の本体によって架橋される２つの部分を含む。
【００９２】
電極パッドは例えば、神経の長さに平行な軸を少なくとも部分的に取り囲むように構成されてもよく、又は複数の電極パッドは、神経の長さに平行な軸の周りに放射状に配置されるように構成されてもよい。この装置は、異なった電極パッド構成を有する湾曲部材を含んでもよい。例えば、いくつかの実施形態では、装置は、湾曲部材に沿って配置された複数の電極パッドを有する１つ以上の湾曲部材と、神経を少なくとも部分的に囲む湾曲電極パッドを有する１つ以上の湾曲部材とを含んでもよい。
【００９３】
いくつかの実施形態では、装置の本体から延びる湾曲部材がそれぞれ、神経の周りに（すなわち、神経の中心を通り、神経の長さに沿って延びる軸の周りに）放射状に配置され、神経と電気的に連絡するように構成された複数の電極パッドを含む。湾曲部材は、湾曲部材が本体の下に延びるにつれて本体に向かって湾曲する前に本体から離れるように延び、その結果、湾曲部材が、神経（神経に接続された血管など）を含む神経又は糸状組織の交差セクションを持続的に囲むことになるリング状構造をもたらす。いくつかの実施形態では、湾曲部材が神経の交差セクションの周りに単一のループを形成する。所定位置に配置されると、所与の湾曲部材の電極パッドは、神経に対して同じ断面位置内にある。湾曲部材内の空間は、装置が神経上に移植されることを可能にするために含まれ得る。湾曲部材は可撓性であることができ、これは装置の移植中に湾曲部材の変形を可能にする。硬化した部材は、装置が神経上に配置されている間に、外側に曲げられることができる。湾曲部材の解放は、湾曲部材が神経又は神経を包含する糸状組織の周りに巻き付くことを可能にする。任意で、湾曲部材は、装置の本体によって架橋される２つの部分を含む。
【００９４】
図２Ａは、神経と係合するためにその神経を部分的にそれぞれ囲む、第１の湾曲部材及び第２の湾曲部材を有する装置の例示的な実施形態を示す。装置２００は、第１の湾曲部材２０４及び第２の湾曲部材２０６に取り付けられた本体２０２を含む。第１の湾曲部材２０４の内面上の複数の電極２０８は第１の湾曲部材２０４に沿って配置され、複数の電極２１２は第２の湾曲部材２０６に沿って配置される。図示の例では、第１の湾曲部材２０４及び第２の湾曲部材２０６は、ギャップ（すなわち、分離）２１４によって分離された可撓性部材である。この構成では、第１の湾曲部材２０４及び第２の湾曲部材２０６は、神経２０８が湾曲部材間の空間内に配置されることを可能にするために、外側に曲げることができ（それによって、ギャップ２１４を広げ）、その湾曲部材は、湾曲部材が神経の周りを包むように解放されることができる。
【００９５】
図２Ｂは、神経に係合する湾曲部材を有する装置の別の例示的な実施形態を示す。装置２１６は、神経２２２を実質的に囲む、本体２１８と湾曲部材２２０とを含む。湾曲部材２２０の内面は、神経２２２を囲む湾曲電極パッド２２４を含む。湾曲部材２２０は可撓性であってもよく、本体２１８と湾曲部材２２０の端部２２８との間（又は第１の湾曲部材と第２の湾曲部材との間）にスペース２２６が存在してもよい。この湾曲部材は、神経２２２が湾曲部材によって形成される空間内に配置されることを可能にするために外側に曲げられてもよく、湾曲部材は、その湾曲部材が神経２２２の周りを包むように解放されてもよい。
【００９６】
図２Ａ及び図２Ｂに示す湾曲部材及び電極パッドの構成が組み合わされてもよい。例えば、装置は、図２Ａに示すような湾曲部材と、図２Ｂに示すような湾曲部材とを含むことができる。別の実施形態では、この装置が、（図２Ａに示されるように）第１及び第２の湾曲部材、並びに（図２Ｂに示されるように）湾曲電極を含んでもよい。別の実施形態では、この装置が、複数の電極が（例えば、図２Ａに示されるように）湾曲部材に沿って配置され、（例えば、図２Ｂに示されるように）神経を実質的に取り囲む湾曲部材を含んでもよい。
【００９７】
装置上の１つ以上の湾曲部材のサイズ、形、及び間隔は、装置が係合する組織のタイプ及びサイズに依存し得る。いくつかの実施形態では、２つ以上の湾曲部材が約０．２５ｍｍ以上（約０．５ｍｍ以上、約１ｍｍ以上、約２ｍｍ以上、約３ｍｍ以上、約４ｍｍ以上、約５ｍｍ以上、約６ｍｍ以上、又は約７ｍｍ以上など）離間される。いくつかの実施形態では、２つ以上の湾曲部材が約８ｍｍ以下（約７ｍｍ以下、約６ｍｍ以下、約５ｍｍ以下、約４ｍｍ以下、約３ｍｍ以下、約２ｍｍ以下、約１ｍｍ以下、又は約０．５ｍｍ以下など）の間隔である。例として、２つ以上の湾曲部材が約０．２５ｍｍ〜約０．５ｍｍ、約０．５ｍｍ〜約１ｍｍ、約１ｍｍ〜約２ｍｍ、約２ｍｍ〜約３ｍｍ、約３ｍｍ〜約４ｍｍ、約４ｍｍ〜約５ｍｍ、約５ｍｍ〜約６ｍｍ、約５ｍｍ〜約７ｍｍ、又は約７ｍｍ〜約８ｍｍ離間され得る。湾曲部材の幅は、装置の用途又は装置が係合する組織に応じて変えることもできる。いくつかの実施形態では、湾曲部材の幅が約１００μｍ以上（約１５０μｍ以上、約２５０μｍ以上、約５００μｍ以上、約１ｍｍ以上、又は約１．５ｍｍ以上など）である。いくつかの実施形態では、湾曲部材の幅が約２ｍｍ以下（約１．５ｍｍ以下、約１ｍｍ以下、約５００μｍ以下、約２５０μｍ以下、又は約１５０μｍ以下など）である。いくつかの実施形態では、湾曲部材の幅が約１００μｍ〜約２ｍｍ(約１００μｍ〜約１５０μｍ、約１５０μｍ〜約２５０μｍ、約２５０μｍ〜約５００μｍ、約５００μｍ〜約１ｍｍ、約１ｍｍ〜約１．５ｍｍ、又は約１．５ｍｍ〜約２ｍｍなど）である。湾曲部材の内面は、神経及び／又は糸状組織が通過する円筒状空間を形成する。湾曲部材によって形成される円筒形空間の直径は、埋め込み可能な装置が係合する標的神経及び／又は糸状組織に依存する。いくつかの実施形態では、装置の１つ以上の湾曲部材は、直径約５０μｍ〜約１５ｍｍ(例えば、約５０μｍ〜約１００μｍ、約１００μｍ〜約２５０μｍ、約２５０μｍ〜約５００μｍ、約５００μｍ〜約１ｍｍ、約１ｍｍ〜約１．５ｍｍ、約１．５ｍｍ〜約２．５ｍｍ、約２．５ｍｍ〜約５ｍｍ、約５ｍｍ〜約１０ｍｍ、又は約１０ｍｍ〜約１５ｍｍ）の円筒形空間を形成する。
【００９８】
この１つ以上の湾曲部材は、神経又は他の糸状組織を少なくとも部分的に囲むように構成されてもよい。例えば、湾曲部材は、神経又は糸状組織の少なくとも２５％、少なくとも３３％、少なくとも５０％、少なくとも６６％、少なくとも７５％、少なくとも９０％、又は少なくとも１００％を取り囲むように構成されてもよい（例えば、湾曲部材は、神経又は糸状組織を完全に取り囲んでもよく、又は神経又は糸状組織の周りに２つ以上の完全なループを含んでもよい）。同様に、１つ以上の湾曲電極パッドは、神経の少なくとも２５％、少なくとも３３％、少なくとも５０％、少なくとも６６％、少なくとも７５％、少なくとも９０％、又は少なくとも１００％を囲むことができ、湾曲電極パッドによって囲まれた神経の部分は、湾曲部材によって囲まれた神経の部分と同じであってもよく、又はそれ未満であってもよい。湾曲部材上に配置される複数の電極パッドは、湾曲部材の全長又は湾曲部材の長さの一部に沿って配置されてもよい。
【００９９】
いくつかの実施形態では、この埋め込み可能な装置は、埋め込み可能な装置を糸状組織に固定するように構成された１つ以上の追加の固定部材を含む。このような固定部材は、例えば、埋め込み可能な装置を解剖学的構造（糸状組織若しくは神経、又は糸状組織若しくは神経を取り囲む他の組織など）、ピン、又はクランプに縫合するためのループを含み得る。例えば、埋め込み可能な装置は、一旦埋め込まれると、その埋め込み可能な装置の動きを制限するために、糸状組織若しくは神経、又は糸状組織若しくは神経を取り囲む組織に縫合され得る。
【０１００】
埋め込み可能な装置の湾曲部材は、金属、金属合金、セラミック、シリコン、又は非ポリマー材料を含むことができる。湾曲部材は可撓性であってもよく、好ましくは、湾曲部材が神経及び／又は糸状組織の周りに配置され得るように、弾力性である。いくつかの実施形態では、１つ以上の湾曲部材又は１つ以上の湾曲部材の一部は、ポリジメチルシオロキサン（ＰＤＭＳ）、シリコン、ウレタンポリマー、ポリ（ｐ−キシリレン）ポリマー（ＰＡＲＹＬＥＮＥ（登録商標）の商品名で販売されているポリ（ｐ−キシリレン）ポリマーなど）、又はポリイミドなど、好ましくは生体不活性であるエラストマーコーティング又は非エラストマーコーティングでコーティングされる。この１つ以上の湾曲部材は、それぞれ、湾曲部材の内面上に複数の電極パッドを含む。いくつかの実施形態では、湾曲部材の内面上の電極パッドは、エラストマーコーティング又は非エラストマーポリマーコーティングでコーティングされないが、導電性材料でコーティングされてもよい（例えば、電極パッドの電気的特性を改善するためにＰＥＤＯＴポリマー又は金属で電気メッキされてもよい）。したがって、いくつかの実施形態では、湾曲部材の外面のみが被覆でコーティングされる。任意に、この被覆は、本体のハウジングをさらにコーティングする。
【０１０１】
この１つ以上の湾曲部材は、埋め込み可能な装置を神経及び／又は糸状組織上の所定の位置に保持することができる。いくつかの実施形態では、１つ以上の湾曲部材は、神経及び／又は糸状組織上での埋め込み可能な装置の何らかの回転運動を可能にする。いくつかの実施形態では、１つ以上の湾曲部材は、神経及び／又は糸状組織に内向きの圧力を働かせることによって、神経及び／又は糸状組織を把持する。１つ以上の湾曲部材によって働く内向きの圧力の量は、湾曲部材のばね定数に加えて、湾曲部材のサイズ及び曲率に基づいて決定することができる。この内向きの圧力は、挿入後に組織が治癒する間、埋め込み可能な装置を所定の位置に保持するのに十分であるべきであるが、湾曲部材に接触する神経上膜又は血管壁が損傷されるほど高くはないべきである。いくつかの実施形態では、神経又は糸状組織への内向きの圧力は、（約０．７ＭＰａ以下、約０．５ＭＰａ以下、又は約０．３ＭＰａ以下など、）約１ＭＰａ以下である。いくつかの実施形態では、神経又は糸状組織への内向きの圧力は、(約０．１ＭＰａから約０．３ＭＰａ、約０．３ＭＰａから約０．５ＭＰａ、約０．５ＭＰａから約０．７ＭＰａ、又は約０．７ＭＰａから約１ＭＰａなど、）約０．１ＭＰａから約１ＭＰａである。
【０１０２】
各湾曲部材上の複数の電極パッドは、湾曲部材の内面（すなわち、神経及び／又は糸状組織とインターフェースで接続するように構成された湾曲面の表面）上に配置される。いくつかの実施形態では、複数の電極パッドが、２、３、４、５、６、７、８、９、１０、１１、１２、１３、１４、１５、１６、１７、１８、１９、２０個以上の電極パッド、例えば、約３〜約５０個の電極パッド、約３〜約５個の電極パッド、約５〜約１０個の電極パッド、約１０〜約２５個の電極パッド、又は約２５〜約５０個の電極パッドを含む。いくつかの実施形態では、複数の電極パッド内の電極パッドは、計算回路によって選択的に活性化させることができ、これにより、本明細書でさらに説明するように、標的電気パルス放出が可能になる。
【０１０３】
電極パッドは、タングステン、プラチナ、パラジウム、金、イリジウム、ニオブ、タンタル、又はチタンのうちの１つ以上（又はそれらのうちの１つ以上の合金）などの任意の適切な導電性材料を含むことができる。検出用電極パッドと刺激用電極パッドとの材料は同じであってもよいし、異なっていてもよい。また、電極パッドの大きさや形状は同じであってもよいし、異なっていてもよい。例えば、所与の湾曲部材上の電極パッドは同じ又は異なるサイズであってもよく、異なる湾曲部材上の電極パッドは同じ又は異なるサイズであってもよい。
【０１０４】
埋め込み可能な装置の電極パッドは、神経と電気的に連絡するように湾曲部材によって配置される。いくつかの実施形態では、電極パッドは、神経と直接接触していない（例えば、神経の外部で、間接的に接触していない）が、神経と電気的に連絡している。いくつかの実施形態では、電極パッドが神経の約２ｍｍ以内（約１．８ｍｍ以内、約１．６ｍｍ以内、約１．４ｍｍ以内、約１．２ｍｍ以内、約１．０ｍｍ以内、約０．８ｍｍ以内、約０．６ｍｍ以内、約０．４ｍｍ以内、又は約０．２ｍｍ以内）に配置される。いくつかの実施形態では、複数の電極パッドが１つ以上の位置で神経の神経上膜を貫通するように構成される。例えば、電極パッドは、神経上膜の貫通を可能にする針状であり得る。いくつかの実施形態では、電極パッドが神経、例えば神経の神経上膜に直接的に接する。
【０１０５】
いくつかの実施形態では、装置上の１つ以上の湾曲部材が神経によって伝達される電気生理学的信号を検出するように構成される。いくつかの実施形態では、装置上の１つ以上の湾曲部材が電気パルスを放出するように構成される。神経によって伝達される電気生理学的信号を検出するように構成された１つ以上の湾曲部材は、電気パルスを放出するように構成された１つ以上の湾曲部材と同じであっても異なっていてもよい。例えば、いくつかの実施形態では、この装置は、神経によって伝達される電気生理学的信号を検出するように構成された第１の複数の電極パッドを含む第１の湾曲部材と、神経に電気パルスを放出するように構成された第２の複数の電極パッドを含む第２の湾曲部材とを含む。いくつかの実施形態では、装置が２つ、３つ、４つ、５つ、６つ、７つ、８つ、又はそれ以上の湾曲部材を含む。いくつかの実施形態では、装置は、神経によって伝達される電気生理学的信号を検出するように構成された１つ、２つ、３つ、４つ、５つ、６つ、７つ、８つ、又はそれ以上の湾曲部材と、電気パルスを放出するように構成された１つ、２つ、３つ、４つ、５つ、６つ、７つ、８つ、又はそれ以上の湾曲部材とを含む。いくつかの実施形態では、電気生理学的信号を検出するように構成された電極パッドを有する湾曲部材と、電気パルスを放出するように構成された電極パッドを有する湾曲部材とは、電気生理学的信号の同時検出及び電気パルスの放出を可能にするために、別個の湾曲部材となる。
【０１０６】
複数の湾曲部材は、神経の長さに沿って配置されることができる。この構成は、神経の長さに沿った異なる点において、神経内の神経線維のサブセットにターゲットであり得る電気生理学的信号検出及び／又は電気的パルスの放出を可能にする。神経の長さに沿った２つ以上の位置で電気生理学的信号を検出することによって、計算回路は、神経によって伝達される電気生理学的信号の方向及び／又は速度を決定することができる。電気生理学的信号（例えば、遠心性信号又は求心性信号）の方向を決定するために、計算回路は、第１の湾曲部材によって検出された電気生理学的信号の第１のタイムスタンプと、第２の湾曲部材によって検出された電気生理学的信号の第２のタイムスタンプとに使用することができる。電気生理学的信号の速度を決定するために、計算回路は、第１の湾曲部材と第２の湾曲部との間の既知の距離をさらに使用することができる。いくつかの実施形態では、第１の湾曲部材及び第２の湾曲部材の電極パッドによって検出された電気生理学的信号の同一性が、第１の湾曲部材上の電極パッド及び第２の湾曲部材の電極パッドによって検出された１つ以上の電気生理学的信号特徴（例えば、大きさ、周波数、又は波形）を比較することによって確認される。
【０１０７】
埋め込み可能な装置はまた、電気パルス又は電気パルス列を放出するように構成された複数の電極を備える２つ以上の湾曲部材を備えることができる。この２つ以上の湾曲部材は、神経の長さに沿って異なる位置に配置することができ、異なる位置で電気パルスを放出するように構成される。２つ以上の異なる湾曲部材によって放出される電気パルスは、同じであっても異なっていてもよく、神経内の同じ又は異なるサブセットの湾曲部材を標的としてもよい。例えば、第１の湾曲部材上の第１の電極パッド（又は第１の複数の電極パッド）は神経線維の神経サブセットの第１のサブセットによる電気生理学的信号の伝達を遮断するように構成された電気パルスを放出することができ、第２の湾曲部材上の第２の電極パッド（又は第２の複数の電極パッド）は、神経線維の第２のサブセットを刺激する電気パルスを放出するように構成することができる。いくつかの実施形態では、神経線維の第１のサブセットが例えば、遠心性神経線維であり得、一方、神経線維の第２のサブセットは求心性神経線維である。他の実施形態では、神経線維の第１のサブセットは求心性神経線維であり、神経線維の第２のサブセットは遠心性神経線維である。第一のサブセットの神経線維における電気生理学的信号の伝達を遮断し、第二のサブセットの神経線維を刺激することにより、この刺激のオフターゲット作用が最小限になる。別の例では、第１の湾曲部材上の第１の複数の電極パッド内の１つ以上の電極パッド、及び第２の湾曲部材上の第２の複数の電極パッド内の１つ以上の電極パッドは、神経の長さに沿った双極刺激のために動作させることができる。さらなる例では、第１の湾曲部材上の複数の電極及び第２の湾曲部材上の複数の電極は、特定の焦点刺激のために使用することができる、整合された電気パルスをそれぞれ放出することができる（すなわち、別個の複数の電極によって放出される電気パルスは互いに整合される）。
【０１０８】
例として、いくつかの実施形態で装置は、第１の複数の電極パッドを備える第１の湾曲部材と、第２の複数の電極パッドを備える第２の湾曲部材とを備え、第１の複数の電極及び第２の複数の電極はそれぞれ、神経の長さに沿った異なる位置で、神経の長さに並行する軸の周りに放射状に配置されるように構成される。いくつかの実施形態では、第１の複数の電極パッド及び第２の複数の電極パッドは、神経によって伝達される電気生理学的信号を検出するように構成される。いくつかの実施形態では、装置は任意で、第３の複数の電極パッドを備える第３の湾曲部材をさらに備え、第３の複数の電極パッドは神経の長さに沿って第１の湾曲部材と第２の湾曲部材との間の位置で、神経の長さに並行する軸の周りに放射状に配置されるように構成される。
【０１０９】
別の例として、いくつかの実施形態で装置は、第１の複数の電極パッドを備える第１の湾曲部材と、第２の複数の電極パッドを備える第２の湾曲部材とを含み、第１の複数の電極及び第２の複数の電極はそれぞれ、神経の長さに沿った異なる位置で神経の長さに並行する軸の周りに放射状に配置されるように構成され、第１の複数の電極パッド又は第２の複数の電極パッドは神経に電気パルスを放出するように構成される。いくつかの実施形態では、第１の複数の電極パッド及び／又は第２の複数の電極パッド内の電極パッドは、例えば神経内の神経線維のサブセットを標的とすることによって、神経に電気パルスを放出するために選択的に活性化されるように構成される。
【０１１０】
別の例では、いくつかの実施形態で装置が、第１の複数の電極パッドを備える第１の湾曲部材と、第２の複数の電極パッドを備える第２の湾曲部材とを含み、第１の複数の電極パッド及び第２の複数の電極パッドは神経によって伝達される電気生理学的信号を検出するように構成され、第３の湾曲部材は第３の複数の電極パッドを備え、第４の湾曲部材は第４の複数の電極パッドを備え、第３の複数の電極パッド及び第４の複数の電極パッドは電気パルスを放出するように構成され、第１の複数の電極、第２の複数の電極、第３の複数の電極、及び第４の複数の電極はそれぞれ、神経の長さに沿った異なる位置で神経に平行な軸の周りに放射状に配置されるように構成される。任意で、第３の湾曲部材及び第４の湾曲部材は、神経の長さに沿って第１の湾曲部材と第２の湾曲部材との間に配置される。いくつかの実施形態では、装置は、電気生理学的信号を検出するか、又は電気パルスを放出するように構成された第５の複数の電極パッドを備える第５の湾曲部材をさらに含む。この第５の湾曲部材は、神経の長さに沿って第３の湾曲部材と第４の湾曲部材との間に任意に配置される。いくつかの実施形態では、第１の複数の電極パッド、第２の複数の電極パッド、第３の複数の電極パッド、若しくは第４の複数の電極パッド及び／又は第５の複数の電極パッドは電気パルスを放出するために選択的に活性化されるように構成される。
【０１１１】
図３Ａ〜３Ｃは、神経３１４上に埋め込まれた本体３１２から延びる５つの湾曲部材（３０２、３０４、３０６、３０８、及び３１０）を有する例示的な埋め込み可能な閉ループ神経調節装置の正面図（３Ａ）、側面図（３Ｂ）、及び上面図（３Ｃ）を示す。この装置の本体は、集積回路３２４、非一時的メモリ３２６、電池３２８、及び超音波変換器３３０（圧電変換器など）を含む。図３Ａに見られるように、湾曲部材は、点３１６で本体３１２によって架橋された第１の部分３０２ａ及び第２の部分３０２ｂを含むことができる。いくつかの実施形態では、第１の部分３０２ａと第２の部分３０２ｂとが直接的に接続され、湾曲部材が接続部材を介して本体に取り付けられる。湾曲部材は、湾曲部材の内面上に複数の電極パッド３１８を含み、この電極パッド３１８は、神経の長さに平行な軸の周りに放射状に配置される。第１の部分３０２ａと３０２ｂとの間の間隔３２０は、湾曲部材に沿って存在する（装置の他の湾曲部材に同様に存在し得る）。この埋め込み可能な装置は、湾曲部材の第１の部分及び第２の部分を外側に曲げることによって埋め込まれることができ、それによって、間隔の大きさを拡張し、そして神経又は他の糸状組織がその間隔を通過し、そして湾曲部材によって形成される円筒形空間内に適合することを可能にする。湾曲部材の第１の部分及び第２の部分は解放され得、これは、湾曲部材が神経又は他の糸状組織の周りを包むことを可能にする。
【０１１２】
図３Ａに示される例示的な装置の複数の電極パッドは神経の外部にあるが、神経の神経上膜と直接接している。この神経は、神経内にいくつかの繊維束３２２を含む。湾曲部材内の電極パッド３１８は、１つ以上の繊維束３２２又は他のサブセットの神経線維への電気パルスの標的放出のために動作され得、及び／又は１つ以上の繊維束３２２又は他のサブセットの神経線維によって伝達される電気生理学的信号の標的検出のために動作され得る。例えば、電極パッド３１８は、１つ以上の繊維束３２２を標的とする電気パルスを放出するために、本体２１２内に収容された集積回路３２４内の計算回路によって選択的に活性化されることができる。別の実施形態では、電極パッド２１８は、神経３１４内の１つ以上の繊維束３２２によって伝達される電気生理学的信号を検出するために、計算回路によって動作される。湾曲部材は、神経又は神経線維のサブセットによって伝達される電気生理学的信号を検出するように、神経に電気パルスを放出する、若しくは神経線維のサブセットを標的とするように、又は神経又は神経線維のサブセットによって伝達される電気生理学的信号を検出するのみならず神経に電気パルスを放出する、若しくは神経線維のサブセットに標的とするように構成することができる。例として、湾曲部材３０２、３０６、及び３１０は、神経又は神経線維のサブセットによって伝達される電気生理学的信号を検出するように構成され得、湾曲部材３０４及び３０８は、神経に電気パルスを放出するか、又は神経線維のサブセットを標的とするように構成され得る。
【０１１３】
埋め込み可能な装置の１つ以上の湾曲部材は、選択された神経又は神経を包含する線維組織に係合するような大きさである。この神経は脊髄又は末梢神経であり得る。いくつかの実施形態では、この神経は自律神経又は体性神経である。いくつかの実施形態では、この神経は交感神経又は副交感神経である。いくつかの実施形態では、この神経は迷走神経、腸間膜神経、脾神経、坐骨神経、脛骨神経、外陰神経、腹腔神経節、仙骨神経、又はそれらの任意の枝である。
【０１１４】
［電気生理学的信号の標的検出］
埋め込み可能な装置の湾曲部材のうちの１つ以上は、神経内の神経線維の標的サブセットから電気生理学的信号を検出するように構成され得る。この繊維のサブセットは、例えば、神経内の１つ以上（例えば、２、３、４、又はそれ以上）の繊維束、又は１つ以上（例えば、２、３、４、又はそれ以上）の繊維束の一部であり得る。いくつかの実施形態では、神経線維のサブセットは、神経内の求心性神経線維、又は神経内の求心性神経線維のサブセットを備えるか、又はそれらからなる。いくつかの実施形態では、神経線維のサブセットは神経内の遠心性神経線維、又は神経内の遠心性神経線維のサブセットを備えるか、又はそれらからなる。いくつかの実施形態では、神経線維のサブセットは、神経内の２つ以上の繊維束内の遠心性神経線維、又は神経内の２つ以上の束内の求心性神経線維を備えるか、又はそれらからなる。
【０１１５】
神経線維のサブセットを選択的に標的化するために、計算モデル化（例えば、有限要素モデル）、逆音源推定、多重極（例えば、三重極）神経記録、速度選択記録、又はビームフォーミングなどの１つ以上の技法が使用され得る。例えば、Ｔａｙｌｏｒらの、Multiple-electrode nerve cuffs for low-velocity and velocity selective neural recording（Medical & Biological Engineering & Computing, vol42, pp. 634643 2004年）と、ＷｏｄｌｉｎｇｅｒらのLocalization and Recovery of Peripheral Neural Sources with Beamforming Algorithms（IEEE Transactions on Neural Systems and Rehabilitation Engineering, vol.17, no. 5, pp. 461-468 2009年）とを参照されたい。
【０１１６】
埋め込み可能な装置の計算回路は、電気生理学的信号の標的検出のために、装置の１つ以上の湾曲部材上の複数の電極を動作させる。計算回路は、電気生理学的信号を伝達している神経内の神経線維のサブセットを決定するために、電極パッドの全て又はサブセットによって検出された電気生理学的信号を分析することができる。ある神経は、２つ以上の異なったサブセットの神経線維によって同時に伝達される電気生理学的信号（又は活動電位）の合計である複合電気生理学的信号（又は複合活動電位）を伝達してもよい。計算回路は、複数の電極パッドによって検出された電気生理学的信号に基づいて、どのサブセットの神経線維がどの電気生理学的信号を伝達するかを決定することができる。いくつかの実施形態では、インテロゲータから受信されたデータ（体温データ、又は検体濃度又は他の生理学的状態に関連するデータなど）は、神経線維のどのサブセットが電気生理学的信号を伝達するかを決定するためにさらに使用される。
【０１１７】
例えば、いくつかの実施形態で計算回路は、速度選択記録を使用して神経線維の標的サブセットから電気生理学的信号を選択的に検出するように構成され、これは多極（例えば、三極）記録（これは１つ以上の湾曲部材上の複数の電極内の任意の数の三極を含み得る）と組み合わせられてもよい。
【０１１８】
ビームフォーミングは、神経線維の標的サブセットからの電気生理学的信号を検出するために、追加的又は代替的に使用され得る。１つ以上の湾曲部材の電極パッドの一部又は全部は、神経からの電気生理学的信号を検出することができ、計算回路は、１つ以上の湾曲部材の電極パッドの一部又は全部によって検出された電気生理学的信号の差分に基づいて、神経内の伝達信号の断面位置を決定することができる。
【０１１９】
埋め込まれた装置の位置とは別個の位置での１つ以上の神経の刺激は、埋め込まれた装置の位置での電気生理学的信号の変調をもたらし得る。装置の電極パッドと電気的に連絡している神経内の神経線維の異なるサブセットで検出される電気生理学的信号の変調は、異なる遠隔神経における刺激の結果であり得る。例えば、脾神経の刺激は、迷走神経内の神経線維の第一のサブセットから検出される電気生理学的信号の変調をもたらし得るし、腎神経の刺激は、迷走神経内の神経線維の第二のサブセットから検出される電気生理学的信号の変調をもたらし得る。したがって、迷走神経上に配置された埋め込み可能な装置は、脾神経の刺激をモニターするために神経線維の第１のサブセットから電気生理学的信号を検出し、腎神経の刺激をモニターするために神経線維の第２のサブセットを検出することができる。
【０１２０】
いくつかの実施形態では、埋め込み可能な装置は、第１の神経位置に配置され、第２の神経位置に関連付けられた第１の神経位置内の神経線維のサブセットから電気生理学的信号を選択的に検出することによって、第２の神経位置の刺激を検出するように構成される。いくつかの実施形態では、第１の神経位置及び第２の神経位置が、１つ以上の神経分岐点又は１つ以上のシナプスによって分離される。いくつかの実施形態では、第２の神経位置は第１の神経位置に対して脳の近位にあり、いくつかの実施形態では第２の神経位置は第１の神経位置に対して脳から遠位にある。いくつかの実施形態では、神経線維の標的サブセットが求心性神経線維を備えるか、又は求心性神経線維からなる。いくつかの実施形態では、神経線維の標的サブセットが遠心性神経線維を備えるか、又は遠心性神経線維からなる。
【０１２１】
［神経の標的刺激］
本装置の湾曲部材のうちの１つ以上は、湾曲部材上の複数の電極パッド内の１つ以上の電極パッドを選択的に活性化することによって、神経内の神経線維のサブセットに標的電気パルスを放出するように構成され得る。本装置の計算回路は、電極パッドを選択的に活性化させるよう電極パッドを動作させることができる。選択的活性化は、例えば、１つ以上の湾曲部材の複数の電極パッド内の電極パッドの一部を活性化すること、及び／又は１つ以上の湾曲部材の複数の電極パッド内の電極パッドの全て又は一部を差動的に活性化することを含むことができる。したがって、この複数の電極は、複数の電極パッドによって放出された電気パルスを神経線維の標的サブセットに進めるように動作させることができる。電場妨害及び／又は多極刺激（例えば、三極刺激）のような技術は、神経内の神経線維のサブセットに電気パルスを標的化するために使用され得る。例えば、Ｇｒｏｓｓｍａｎらの、Noninvasive Deep Brain Stimulation via Temporally Interfering Electrical Fields、Ｃｅｌｌ、ｖｏｌ１６９, pp. １０２９−１０４１(２０１７)を参照のこと。１つ以上の湾曲部材を有する電極パッドは、計算回路によって選択的に活性化されて、放出された電気パルスを神経線維のサブセットに標的化することができる。
【０１２２】
放出された電気パルスによって標的化される神経線維のサブセットは、電気生理学的信号が検出される神経線維のサブセットと同じであっても異なっていてもよい。標的電気パルスを放出するように構成された１つ以上の湾曲部材は、電気生理学的信号を検出するように構成された装置上の１つ以上の湾曲部材と同じであっても異なっていてもよい。放出された標的電気パルスは、埋め込み可能な装置の位置で神経を刺激することができる。電気パルスによって標的化される神経線維のサブセットは、電気生理学的信号が選択的に検出される神経線維と同じ又は異なったサブセットであり得る。
【０１２３】
この装置によって放出される電気パルスによって標的化される神経線維のサブセットは、例えば、神経内の１つ以上（例えば、２、３、４、又はそれ以上）の線維束、又は１つ以上（例えば、２、３、４、又はそれ以上）の線維束の一部であり得る。いくつかの実施形態では、神経線維のサブセットは、神経内の求心性神経線維、又は神経内の求心性神経線維のサブセットを備えるか、又はそれらからなる。いくつかの実施形態では、神経線維のサブセットは神経内の遠心性神経線維、又は神経内の遠心性神経線維のサブセットを備えるか、又はそれらからなる。いくつかの実施形態では、神経線維のサブセットは、神経内の２つ以上の繊維束内の遠心性神経線維、又は神経内の２つ以上の束内の求心性神経線維を備えるか、又はそれらからなる。
【０１２４】
神経線維のサブセットに標的電気パルスを放出することによる神経線維のサブセットの標的刺激は、その神経の位置から離れた位置の神経の刺激をもたらし得る。埋め込み可能な装置によって刺激される遠隔神経は、この装置によって放出される電気パルスによって標的とされる埋め込み可能な装置の位置における神経のサブセットに依存する。いくつかの実施形態では、埋め込み可能な装置は、第１の神経位置に配置され、第２の神経位置に関連付けられた第１の神経位置内の神経線維のサブセットに標的電気パルスを放出することによって、第２の神経位置を刺激するように構成される。いくつかの実施形態では、第１の神経位置及び第２の神経位置が、１つ以上の神経分岐点又は１つ以上のシナプスによって分離される。いくつかの実施形態では、第２の神経位置は第１の神経位置に対して脳の近位にあり、いくつかの実施形態では第２の神経位置は第１の神経位置に対して脳から遠位にある。いくつかの実施形態では、神経線維の標的サブセットが求心性神経線維を備えるか、又は求心性神経線維からなる。いくつかの実施形態では、神経線維の標的サブセットが遠心性神経線維を備えるか、又は遠心性神経線維からなる。
【０１２５】
［無線通信］
埋め込み可能な装置は、閉ループのオンボード計算回路を介して、検出された電気生理学的信号に応じて電気パルスを放出することができるが、いくつかの実施形態では、本明細書に記載された閉ループ埋め込み可能装置と、この装置に電力を供給する超音波を放出するように構成されたインテロゲータとを含むシステムがある。このインテロゲータは外部（すなわち、埋め込まれていない）装置であってもよいし、別個であるが完全に埋め込まれた装置であってもよい。埋め込まれている場合、インテロゲータは、例えば超音波通信又は高周波（ＲＦ）を使用して、外部装置と無線で通信することができる。埋め込み可能な装置内の超音波変換器は、超音波からのエネルギーを電気エネルギーに変換するインテロゲータによって放出された超音波を受信するように構成される。電気エネルギーは、存在する場合には装置内の電池に蓄積することができ、計算回路等の装置成分に電力を供給するために使用することができる。
【０１２６】
いくつかの実施形態では、インテロゲータが超音波通信を介して閉ループ埋め込み可能装置と無線で通信するように構成される。埋め込み可能な装置は、埋め込み可能な装置の超音波変換器を介してインテロゲータから超音波を受信する。任意で、インテロゲータによって埋め込み可能な装置に伝達される超音波は、埋め込み可能な装置を動作させるための命令を符号化することができ、この命令は、計算回路によって受信することができる。超音波によって生じる埋め込み可能な装置上の超音波変換器の振動は、この変換器の電気端子間に電圧を生成し、集積回路を含む装置を通して電流が流れる。インテロゲータによって放出された情報又は命令を符号化する超音波は、埋め込み可能な装置内の超音波変換器によって受信される。次いで、この情報又は命令は、超音波を受信することから生じる、超音波変換器を通って流れる電流で符号化され、符号化された情報又は命令は計算回路によって解読され得る。いくつかの実施形態では、計算回路が装置の非一時的メモリ上の命令を格納する。
【０１２７】
インテロゲータによって放出され、閉ループ埋め込み可能装置によって受信される超音波に符号化された情報は、例えば、閉ループ神経変調を開始又は停止するための命令、１つ以上の校正命令、動作ソフトウェアに対する１つ以上の更新、及び／又は１つ以上のテンプレート（テンプレート電気生理学的信号、１つ以上のテンプレート電気生理学的信号、及び／又は１つ以上のテンプレート刺激信号など）を含むことができる。超音波で符号化された情報は、計算回路によって処理され、及び／又は存在する場合には非一時的メモリに格納される。この装置のための校正命令は、例えば、被験者内の別の神経位置における、（１）神経内の神経線維のサブセットと、（２）神経又は神経線維のサブセットとの間の関連付けを含むことができる。いくつかの実施形態では、この関連付けは、装置と電気的に連絡している第１の神経位置内の神経線維のサブセットに標的電気パルスを放出することによって、第２の神経位置を刺激するための命令を含む。いくつかの実施形態では、この関連付けは、装置と電気的に連絡している第１の神経位置における神経線維のサブセットから電気生理学的信号を選択的に検出することによって、第２の神経位置の刺激を検出するための命令を含む。
【０１２８】
いくつかの実施形態では、閉ループ埋め込み可能装置は、超音波後方散乱を介してインテロゲータに情報を伝達する。図４は、超音波変換器を介して埋め込み可能な装置と通信するインテロゲータを示す。外部の超音波トランシーバは、組織を通過することができる超音波（「搬送波」）を放出する。搬送波は、超音波変換器（例えば、バルク圧電変換器、ＰＵＭＴ、又はＣＭＵＴ）に機械的振動を生じさせる。超音波変換器の両端に電圧が生成され、これは、埋め込み可能な装置上の集積回路を通して流れる電流を付与する。超音波変換器を通して流れる電流は、埋め込み可能な装置上の変換器に、後方散乱超音波を放出させる。いくつかの実施形態では、集積回路は、情報を符号化するために超音波変換器を通して流れる電流を変調し、結果としてもたらされた超音波後方散乱波が情報を符号化する。後方散乱波は、インテロゲータによって検出することができ、超音波後方散乱に符号化された情報を解釈するために分析することができる。
【０１２９】
埋め込み可能な装置から放出される超音波後方散乱は、埋め込み可能な装置に関する情報を符号化することができる。超音波後方散乱は、超音波後方散乱波内に符号化された情報を決定するために、（埋め込み可能な装置内の超音波変換器によって受信された超音波を伝達したインテロゲータと同じであっても異なっていてもよい）インテロゲータ装置によって受信され、解読されることができる。この情報は、埋め込み可能な装置の集積回路内の変調回路を使用して符号化することができる。この変調回路は、情報を符号化するために。超音波変換器を流れる電流を変調することができる。変調された電流は、超音波後方散乱を調整するために超音波変換器を通して流れ、それによって超音波後方散乱波中の情報を符号化する。変調回路は、オン／オフスイッチ又は電界効果トランジスタ（ＦＥＴ）などの１つ以上のスイッチを含む。埋め込み可能な装置のいくつかの実施形態と共に使用することができる例示的なＦＥＴは、金属−酸化物−半導体電界効果トランジスタ（ＭＯＳＦＥＴ）である。変調回路は、超音波変換器を流れる電流のインピーダンスを変更することができ、この変換器を通して流れる電流の変動は、その情報を符号化する。
【０１３０】
この装置から放出された超音波後方散乱で符号化された情報は、検出された電気生理学的信号に関連する情報、検出された生理学的状態（例えば、温度、ｐＨ、酸素レベル、圧力など）、装置状態に関連する情報（例えば、装置が動作状態にあるかどうか、又は刺激コンデンサ充電などの刺激コンデンサ状態）、又は放出された電気パルスに関連する情報を含むことができる。例えば、検出された電気生理学的信号に関連する情報は、電気生理学的信号が検出される神経線維のサブセットに関連する情報（例えば、位置情報）、検出された電気生理学的信号の大きさ又は周波数、テンプレート電気生理学的パルスとの類似性、及び／又は検出された電気生理学的信号のタイムスタンプを含むことができる。検出された生理学的状態に関連する情報は、例えば、温度、ｐＨ、酸素レベル、若しくは圧力、及び／又は検出された生理学的状態のタイムスタンプを含むことができる。放出された電気パルスに関連する情報は、例えば、神経線維のサブセットに関連する情報（例えば、放出された電気パルスの標的位置）、放出された電気パルスの大きさ、周波数、若しくは波形、及び／又は放出された電気パルスのタイムスタンプを含むことができる。
【０１３１】
いくつかの実施形態では、超音波後方散乱で符号化された情報は、埋め込み可能な装置に対する一意の識別子を含み、これは任意にデジタル化された一意の識別子である。これは、例えば、複数の埋め込み可能な装置が被験者に埋め込まれたときに、インテロゲータが正しい埋め込み可能な装置と連絡することを確実にするために有用であり得る。いくつかの実施形態では、超音波後方散乱に符号化された情報は、埋め込み可能な装置によって放出された電気パルスを検証する検証信号を含む。いくつかの実施形態では、超音波後方散乱に符号化された情報は、エネルギー蓄積回路（又はエネルギー蓄積回路内の１つ以上のコンデンサ）に格納されたエネルギー量又は電圧を含む。
【０１３２】
いくつかの実施形態では、後方散乱超音波は、埋め込み可能な装置によってデジタル化される。例えば埋め込み可能な装置は、オシロスコープ又はアナログ−デジタル変換器（ＡＤＣ）及び／又はメモリを含むことができ、これらは、電流（又はインピーダンス）変動における情報をデジタル的に符号化することができる。情報を符号化することができるデジタル化された電流変動は、超音波変換器によって受信され、これは、次いでデジタル化された音波を送信する。デジタル化されたデータは、例えば特異値分解（ＳＶＤ）と最小二乗法に基づく圧縮とを使用することによって、アナログデータを圧縮することができる。いくつかの実施形態では、この圧縮は相関器又はパターン検出アルゴリズムによって行われる。後方散乱信号は、単一の時点で再構成データポイントを生成するために、後方散乱領域の第４順のバターワースバンドパスフィルタ整流積分などの、一連の非線形変換を経てもよい。このような変換は、ハードウェア（すなわち、ハードコーディングされた）又はソフトウェアの何れかで行うことができる。
【０１３３】
いくつかの実施形態では、デジタル化された信号はアナログ信号のサイズを圧縮する。デジタル化された信号の減少したサイズは、超音波後方散乱で符号化された情報のより効率的な報告を可能にすることができる。デジタル化を通じて送信される情報のサイズを圧縮することによって、潜在的に重複する信号を正確に送信することができる。
【０１３４】
インテロゲータと埋め込み可能な装置との間の通信は、超音波を送受信するパルスエコー法を使用することができる。パルスエコー法では、インテロゲータが所定の周波数で一連のインテロゲーションパルスを送信し、次いで、埋め込まれた装置から後方散乱エコーを受信する。いくつかの実施形態では、このパルスは、正方形、長方形、三角形、鋸歯状、又は正弦波である。いくつかの実施形態では、出力されるパルスは、２レベル（ＧＮＤ及びＰＯＳ）、３レベル（ＧＮＤ、ＮＥＧ、ＰＯＳ）、５レベル、又は任意の他の複数レベル（例えば、２４ビットＤＡＣを使用する場合）とすることができる。いくつかの実施形態では、パルスは、動作中にインテロゲータによって連続的に送信される。いくつかの実施形態では、パルスがインテロゲータによって連続的に送信されるとき、そのインテロゲータ上の変換器の一部は超音波を受信するように構成され、そのインテロゲータ上の変換器の一部は超音波を送信するように構成される。超音波を受信するように構成される変換器と、超音波を送信するように構成される変換器とは、インテロゲータの同じ変換器アレイ上にあることができ、異なる変換器アレイ上にあることもできる。いくつかの実施形態では、インテロゲータ上の変換器が超音波を代替的に送信又は受信するように構成することができる。例えば、変換器は、１つ以上のパルスを送信することと、休止期間との間をサイクルすることができる。この変換器は、１つ以上のパルスを送信するときに超音波を送信するように構成され、次いで、休止期間中に受信モードに切り替えることができる。
【０１３５】
インテロゲータは、超音波送信機及び／又は超音波受信機として（又は超音波を代替的に送信又は受信するように構成され得るトランシーバとして）動作することができる１つ以上の超音波変換器を含む。１つ以上のこの変換器は変換器アレイとして配置することができ、インテロゲータは１つ以上の変換器アレイを任意に含むことができる。いくつかの実施形態では、超音波送信機能は、別個の装置上の超音波受信機能から分離される。すなわち、任意に、インテロゲータは、超音波を埋め込み可能な装置に送信する第１の装置と、埋め込み可能な装置から超音波後方散乱を受信する第２の装置とを備える。いくつかの実施形態では、アレイ内の変換器は、規則的な間隔、不規則な間隔を有する、又は疎に位置づけることができる。いくつかの実施形態では、アレイは可撓性である。いくつかの実施形態では、アレイは平面であり、いくつかの実施形態ではアレイは非平面である。
【０１３６】
例示的なインテロゲータが図５に示されている。図示されたインテロゲータは、複数の超音波変換器を有する変換器アレイを示す。いくつかの実施形態では、変換器アレイは、１個以上、２個以上、３個以上、５個以上、７個以上、１０個以上、１５個以上、２０個以上、２５個以上、５０個以上、１００個以上、２５０個以上、５００個以上、１０００個以上、２５００個以上、５０００個以上、又は１００００個以上の変換器を含む。いくつかの実施形態では、変換器アレイは、１００，０００個以下、５０，０００個以下、２５，０００個以下、１０，０００個以下、５０００個以下、２５００個以下、１０００個以下、５００個以下、２００個以下、１５０個以下、１００個以下、９０個以下、８０個以下、７０個以下、６０個以下、５０個以下、４０個以下、３０個以下、２５個以下、２０個以下、１５個以下、１０個以下、７個以下、又は５個以下の変換器を含む。変換器アレイは、例えば５０個以上の超音波変換器画素を備えるチップとすることができる。
【０１３７】
図５に示されるインテロゲータは単一の変換器アレイを図示するが、このインテロゲータは１つ以上、２つ以上、又は３つ以上の別個のアレイを含むことができる。いくつかの実施形態では、インテロゲータは、（９、８、７、６、５、４、３、２、又は１個の変換器アレイなど、）１０個以下の変換器アレイを含む。この別個のアレイは例えば、被験者の異なる地点に位置づけることができ、同じ又は異なる埋め込み可能な装置と通信することができる。いくつかの実施形態では、アレイが埋め込み可能な装置の対向側に設置される。インテロゲータは、特定用途向け集積回路（ＡＳＩＣ）を含むことができ、ＡＳＩＣは、変換器アレイ内の各変換器のためのチャネルを含む。いくつかの実施形態では、チャネルが（「Ｔ／Ｒｘ」によって図5に示される）スイッチを含む。このスイッチは、代替的に、超音波を送信するか又は超音波を受信するように、チャネルに接続された変換器を構成することができる。このスイッチは、超音波受信回路を、より高電圧の超音波送信回路から分離することができる。
【０１３８】
いくつかの実施形態では、チャネルに接続された変換器は、超音波を受信するためだけに、又は超音波を送信するためだけに構成され、スイッチはチャネルから任意に省略される。チャネルは、送信された超音波を制御するように動作する遅延制御部を含むことができる。遅延制御部は例えば、位相シフト、時間遅延、パルス周波数及び／又は波形（振幅及び波長を含む）を制御することができる。遅延制御部は、超音波を送信するために変換器によって使用されるより高い電圧に遅延制御からの入力パルスをシフトする、レベルシフタに接続することができる。いくつかの実施形態では、各チャネルの波形及び周波数を表すデータが、「波テーブル」に格納され得る。これは、各チャネルの送信波形を異ならせることを可能にする。次いで、このデータを変換器アレイへの実際の送信信号へと流れださせるために、遅延制御及びレベルシフタを使用することができる。いくつかの実施形態では、チャネルごとの送信波形がマイクロコントローラ又は他のディジタルシステムの高速度シリアル出力によって直接的に生成され、レベルシフタ又は高電圧増幅器を介して変換器要素に送られることができる。いくつかの実施形態では、ＡＳＩＣは、ＡＳＩＣに供給される第１の電圧を、チャネルに印加されるより高い第２の電圧に変換するために、チャージポンプ（図５に図示）を含む。チャネルは、遅延制御部を動作させるデジタルコントローラなどのコントローラによって制御することができる。
【０１３９】
超音波受信回路では、受信された超音波は、変換器（受信モードに設定）によって電流に変換され、データ取り込み回路に送信される。いくつかの実施形態では、増幅器、アナログ−デジタル変換器（ＡＤＣ）、可変利得増幅器、若しくは組織損失を補償する時間利得制御可変利得増幅器、及び／又は帯域通過フィルタが受信回路に含まれる。ＡＳＩＣは、（インテロゲータの着用可能な実施形態に好ましい）電池などの電源から電力を引き出すことができる。図５に図示される実施形態では、ＡＳＩＣに１．８Ｖの電源が供給され、これはチャージポンプによって３２Ｖに増加されるが、任意の適切な電圧を使用することができる。いくつかの実施形態では、インテロゲータは、プロセッサと非一時的コンピュータ可読メモリとを含む。いくつかの実施形態では、上述のチャネルがＴ／Ｒｘスイッチを含まず、代わりに、良好な飽和回復を有する低ノイズ増幅器の形態の高電圧Ｒｘ(受信器回路）を有する独立したＴｘ(送信）及びＲｘ(受信）を包含する。いくつかの実施形態では、Ｔ／Ｒｘ回路はサーキュレーターを含む。いくつかの実施形態では、変換器アレイがインテロゲータ送信／受信回路内の処理チャネルよりも多くの変換器素子を含み、マルチプレクサはパルスごとに送信素子の異なるセットを選択する。例えば、３：１マルチプレクサを介して１９２個の物理変換器素子に接続された６４個の送信受信チャネルであって、６４個の変換器素子のみが所与のパルス上でアクティブである。
【０１４０】
例として、いくつかの実施形態では、インテロゲータ、又はインテロゲータの変換器は着用可能である。例えば、インテロゲータ、又はインテロゲータの変換器は、紐又は接着剤によって本体に固定されてもよい。別の例では、インテロゲータは、ワンドであり得、（医療専門家などの）ユーザに保持されてもよい。いくつかの実施形態では、インテロゲータは、縫合糸、単純な表面張力や、布ラップ、スリーブ、弾性バンドなどの衣類ベースの固定装置を介して、又は皮下固定によって本体に保持することができる。インテロゲータの変換器又は変換器アレイは、変換器の残りの部分とは別個に配置されてもよい。例えば、変換器アレイは、第１の位置（例えば、１つ以上の埋め込まれた装置の近位）で被験者の皮膚に固定され得、インテロゲータの残りは、第２の位置に配置されてよく、ワイヤは変換器又は変換器アレイをインテロゲータの残りに繋ぐ。
【０１４１】
インテロゲータの変換器アレイの具体的な設計は、アレイ内の個々の変換器の所望の貫通深さ、開口サイズ、及びサイズに依存する。変換器アレイのレイリー距離Ｒは、次のように計算される。
2021535779.tif 000003
ここで、Ｄは開口部のサイズであり、λは伝播媒体（すなわち組織）内の超音波の波長である。当技術分野で理解されるように、レイリー距離は、アレイによって放射されるビームが完全に形成される距離である。すなわち、受信電力を最大にするために、その圧力場は、レイリー距離での自然焦点に収束する。したがって、いくつかの実施形態では、埋め込み可能な装置は、変換器アレイからレイリー距離とほぼ同じ距離にある。
【０１４２】
変換器アレイ内の個々の変換器は、ビームフォーミング又はビームステアリングのプロセスを通して、レイリー距離と、変換器アレイによって放出される超音波のビームの位置とを制御するように調整することができる。線形拘束最小分散（ＬＣＭＶ）ビームフォーミングなどの技術は、複数の埋め込み可能な装置を外部の超音波トランシーバと通信させるために使用することができる。例えば、Ｂｅｒｔｒａｎｄらの、Beamforming Approaches for Untethered、Ultrasonic Neural Dust Motes for Cortical Recording（a Simulation Study、IEEE EMBC，２０１４年８月）を参照されたい。いくつかの実施形態では、ビームステアリングは、アレイ内の変換器によって放射される超音波の電力又は位相を調節することによって行われる。
【０１４３】
いくつかの実施形態では、インテロゲータは、１つ以上の変換器を使用して超音波をビームステアリングするための命令、１つ以上の埋め込み可能な装置の相対位置を決定するための命令、１つ以上の埋め込み可能な装置の相対移動をモニターするための命令、１つ以上の埋め込み可能な装置の相対移動を記録するための命令、及び複数の埋め込み可能な装置からの後方散乱を逆畳み込みするための命令のうちの１つ以上を含む。
【０１４４】
任意に、インテロゲータは、モバイル装置（例えば、スマートフォン又はテーブル）などの別個のコンピュータシステムを使用して制御される。コンピュータシステムは、例えばネットワーク接続、無線（ＲＦ）接続、又はＢｌｕｅｔｏｏｔｈ（登録商標）を介して、インテロゲータに無線通信することができる。コンピュータシステムは例えば、インテロゲータをオン又はオフしてもよく、又はインテロゲータによって受信された超音波に符号化された情報を分析してもよい。
【０１４５】
いくつかの実施形態では、インテロゲータは複数の埋め込み可能な装置と通信する。これは、例えば、多入力多出力（ＭＩＭＯ）システム理論を使用して行うことができる。例えば、時分割多重化、空間多重化、又は周波数多重化を使用した、インテロゲータと複数の埋め込み可能な装置との間の通信。インテロゲータは、逆畳み込みされ得る複数の埋め込み可能な装置からの結合された後方散乱を受信することができ、それによって、各埋め込み可能な装置から情報を抽出する。いくつかの実施形態では、インテロゲータは、変換器アレイからの送信された超音波を、ビームステアリングを介して特定の埋め込み可能な装置へと集束させる。このインテロゲータは、送信された超音波を第１の埋め込み可能な装置に集束させ、第１の埋め込み可能な装置からの後方散乱を受信し、送信された超音波を第２の埋め込み可能な装置に集束させ、第２の埋め込み可能な装置からの後方散乱を受信する。いくつかの実施形態では、インテロゲータは超音波を複数の埋め込み可能な装置に送信し、次いで、複数の埋め込み可能な装置から超音波を受信する。
【０１４６】
［例示的な実施形態］
前述の説明は、特定の実施形態を参照して説明されてきた。追加の例示的な実施形態が以下に提供される。しかしながら、上記の例示的な議論及び例示的な実施形態は、網羅的であること、又は開示を開示された厳密な形態に限定することを意図していない。上記の教示に鑑みて、多くの修正及び変形が可能である。実施形態は、技術の原理及びそれらの実際の応用を最も良く説明するために選択、及び説明された。これにより、当業者であれば、想定される特定の用途に適した様々な修正を加えて、本技術及び様々な実施形態を最良に利用することができる。
【０１４７】
本開示は添付の図面を参照して十分に説明されてきたが、様々な変更及び修正が当業者には明らかになることに留意されたい。そのような変更及び修正は、特許請求の範囲によって定義される開示及び実施例の範囲内に含まれているものとして理解されるべきである。
【０１４８】
以下の実施形態は例示的なものであり、クレームされた本発明を限定することを意図するものではない。
【０１４９】
［実施形態１］
本体から延びる１つ以上の湾曲部材であって、神経の長さに平行な軸を少なくとも部分的に取り囲むように構成された１つ以上の電極パッド、又は神経の長さに平行な軸の周りに放射状に配置されるように構成された複数の電極パッドを含む、湾曲部材と、
超音波を受信し、前記超音波からのエネルギーを電気エネルギーに変換するように構成される、超音波変換器と、
前記１つ以上の電極パッド又は前記複数の電極パッドに電気的に接続された計算回路であって、
検出された電気生理学的信号に基づいて検出信号を受信し
前記検出信号に基づいて刺激信号を生成し、
刺激信号に基づいて神経に電気パルスを放出するように、前記１つ以上の湾曲部材の少なくとも１つのうちの、前記１つ以上の電極パッド又は前記複数の電極パッドを動作させる、よう構成される、計算回路と、
を備える本体と、を備える、埋め込み可能な閉ループ神経調節装置。
【０１５０】
［実施形態２］
前記湾曲部材は、前記神経の長さに平行な前記軸を少なくとも部分的に取り囲むように構成された前記１つ以上の電極パッドを備える、実施形態１に記載の装置。
【０１５１】
［実施形態３］
前記１つ以上の電極パッドが、前記神経の長さに平行な前記軸を少なくとも５０％取り囲む、実施形態２に記載の装置。
【０１５２】
［実施形態４］
前記１つ以上の電極パッドが、前記神経の長さに平行な前記軸を少なくとも１００%取り囲む、実施形態２に記載の装置。
【０１５３】
［実施形態５］
神経の長さに平行な軸を少なくとも部分的に囲むように構成された前記１つ以上の電極パッドが、同じ湾曲部材上の２つ以上の電極パッドを含む、実施形態１乃至４のいずれか１つに記載の装置。
【０１５４】
［実施形態６］
前記神経の断面平面において、前記神経の長さに平行な軸を少なくとも部分的に取り囲むように構成された前記電極パッドが、前記神経の長さに平行な前記軸を部分的に囲む、実施形態１乃至５のいずれか１つに記載の装置。
【０１５５】
［実施形態７］
前記湾曲部材は、前記神経の長さに平行な前記軸の周りに放射状に配置されるように構成された前記複数の電極パッドを含む、実施形態１乃至６のいずれか１つに記載の装置。
【０１５６】
［実施形態８］
本体から延びる１つ以上の湾曲部材であって、湾曲部材それぞれが、神経の長さに平行する軸の周りに放射状に配置されるように構成された複数の電極パッドを備える、湾曲部材と、
超音波を受信して、前記超音波からのエネルギーを電気エネルギーに変換するように構成された超音波変換器、及び
検出された電気生理学的信号に基づいて検出信号を受信し、
前記検出信号に基づいて刺激信号を生成し、
前記刺激信号に基づいて前記神経に電気パルスを放出させるよう、前記１つ以上の湾曲部材のうちの少なくとも１つの複数の電極パッドを動作させるよう構成される、前記複数の電極パッドに電気的に接続された計算回路と、
を備える本体と、を備える、埋め込み可能な閉ループ神経調節装置。
【０１５７】
［実施形態９］
前記複数の電極パッドは、３つ以上の電極パッドを含む、実施形態１乃至８のいずれか１つに記載の装置。
【０１５８】
［実施形態１０］
前記複数の電極パッド内の前記電極パッドは、前記神経の共通平面内に放射状に配置される、実施形態１乃至９のいずれか１つに記載の装置。
【０１５９】
［実施形態１１］
前記装置は、前記神経内の神経線維の標的サブセットから前記電気生理学的信号を検出するように構成される、実施形態１乃至１０のいずれか一項に記載の装置。
【０１６０】
［実施形態１２］
前記装置は、前記神経内の１つ以上の標的繊維束、前記神経内の１つ以上の標的求心性神経線維、又は前記神経内の１つ以上の標的遠心性神経線維から、前記電気生理学的信号を検出するように構成される、実施形態１１に記載の装置。
【０１６１】
［実施形態１３］
前記装置は、前記神経内の２つ以上の異なった標的繊維束から前記電気生理学的信号を検出するように構成される、実施形態１１に記載の装置。
【０１６２】
［実施形態１４］
前記装置は、前記神経内の神経線維の標的サブセットに前記電気パルスを放出するように構成される、実施形態１乃至１３のいずれか１項に記載の装置。
【０１６３】
［実施形態１５］
前記装置は、前記神経内の１つ以上の標的繊維束、前記神経内の１つ以上の標的求心性神経線維、又は前記神経内の１つ以上の標的遠心性神経線維に、前記電気パルスを放出するように構成される、実施形態１４に記載の装置。
【０１６４】
［実施形態１６］
前記装置は、前記神経内の２つ以上の異なった標的繊維束に前記電気パルスを放出するように構成される、実施形態１４に記載の装置。
【０１６５】
［実施形態１７］
前記装置は、前記神経内の神経線維の第１の標的サブセットから前記電気生理学的信号を検出し、前記神経内の神経線維の第２の標的サブセットに電気パルスを放出するように構成され、前記神経線維の第１の標的サブセットと前記神経線維の第２の標的サブセットとが同じであるか又は異なっている、実施形態１乃至１６のいずれか１項に記載の装置。
【０１６６】
［実施形態１８］
前記本体は、前記超音波変換器から前記電気エネルギーを受信し、前記計算回路に電力を供給するように構成された電池をさらに備える、実施形態１乃至１７のいずれか一項に記載の装置。
【０１６７】
［実施形態１９］
前記装置が非一時的メモリを含む、実施形態１乃至１８のいずれか１項に記載の装置。
【０１６８】
［実施形態２０］
前記非一時的メモリは、前記検出された電気生理学的信号に基づくデータ、前記放出された電気パルスに基づくデータ、又は検出若しくは測定された生理学的状態に基づくデータを含むデータを格納するように構成される、実施形態１９に記載の装置。
【０１６９】
［実施形態２１］
前記非一時的メモリは、インテロゲータから受信したデータを格納するように構成される、実施形態１９又は２０に記載の装置。
【０１７０】
［実施形態２２］
前記超音波変換器は、前記データの少なくとも一部を符号化する超音波後方散乱波を放出するように構成される、実施形態２０又は２１に記載の装置。
【０１７１】
［実施形態２３］
前記データは、前記検出された電気生理学的信号若しくは前記放出された電気パルスのタイムスタンプ、速度、向き、振幅、周波数、又は波形を含む、実施形態２０乃至２２のいずれか１項に記載の装置。
【０１７２】
［実施形態２４］
前記非一時的メモリは、ある期間にわたって取得されたデータを格納するように構成される、実施形態１９乃至２３のいずれか１項に記載の装置。
【０１７３】
［実施形態２５］
前記非一時的メモリは、１つ以上のテンプレート検出信号又は１つ以上のテンプレートパルスを格納する、実施形態１９乃至２４のいずれか１項に記載の装置。
【０１７４】
［実施形態２６］
前記計算回路は、前記検出信号を前記１つ以上のテンプレート検出信号と比較することによって、前記刺激信号を生成するように構成される、実施形態２５に記載の装置。
【０１７５】
［実施形態２７］
前記刺激信号を生成することは、前記非一時的メモリからテンプレートパルスを取り出すことと、前記取り出されたテンプレートパルスに基づいて前記刺激信号を生成することとを含む、実施形態２５又は２６に記載の装置。
【０１７６】
［実施形態２８］
前記刺激信号は、前記検出信号と前記刺激信号との間の数学的関係を使用して生成される、実施形態１乃至２４のいずれか１項に記載の装置。
【０１７７】
［実施形態２９］
前記装置は、生理学的状態を検出又は測定するように構成されたセンサをさらに備える、実施形態１乃至２８のいずれか１項に記載の装置。
【０１７８】
［実施形態３０］
前記生理学的状態は、検体の体温、ｐＨ、圧力、心拍数、緊張、又は存在若しくは量である、実施形態２９に記載の装置。
【０１７９】
［実施形態３１］
前記検出信号は、検出された電気生理学的パルス成分と、追加の検出された生理学的状態成分とを含む、実施形態２９又は３０に記載の装置。
【０１８０】
［実施形態３２］
第１の複数の電極パッドを備える第１の湾曲部材と、第２の複数の電極パッドを備える第２の湾曲部材とを備え、前記第１の複数の電極及び前記第２の複数の電極はそれぞれ、前記神経の長さに沿った異なる位置で、前記神経の長さに並行する軸の周りに放射状に配置されるように構成される、実施形態１乃至３１の何れか１つに記載の装置。
【０１８１】
［実施形態３３］
前記第１の複数の電極パッド及び前記第２の複数の電極パッドは、前記神経によって伝達される前記電気生理学的信号を検出するように構成される、実施形態３２に記載の装置。
【０１８２】
［実施形態３４］
第３の複数の電極パッドを備える第３の湾曲部材をさらに備え、前記第３の複数の電極パッドは、前記神経の長さに沿って前記第１の湾曲部材と前記第２の湾曲部材との間の位置で、前記神経の長さに並行する前記軸の周りに放射状に配置されるように構成される、実施形態３２又は３３に記載の装置。
【０１８３】
［実施形態３５］
前記計算回路は、前記第１の複数の電極パッド、前記第２の複数の電極パッド、又は前記第３の複数の電極パッドのうちの１つ以上によって検出された前記電気生理学的信号に基づいて、前記電気生理学的信号を伝達する神経線維のサブセットを決定するように構成される、実施形態３２乃至３４のいずれか１つに記載の装置。
【０１８４】
［実施形態３６］
前記電気生理学的信号を伝達する神経線維の前記サブセットが、インテロゲータから受信したデータに基づいてさらに決定される、実施形態３５に記載の装置。
【０１８５】
［実施形態３７］
前記第１の複数の電極パッド、前記第２の複数の電極パッド、又は前記第３の複数の電極パッドは、前記神経に前記電気パルスを放出するように構成される、実施形態３２乃至３６のいずれか１つに記載の装置。
【０１８６】
［実施形態３８］
前記第１の複数の電極パッド、前記第２の複数の電極パッド、又は前記第３の複数の電極パッド内の前記電極パッドは、前記神経内の神経線維の標的サブセットに前記電気パルスを放出するように選択的に活性化されるように構成される、実施形態３７に記載の装置。
【０１８７】
［実施形態３９］
第１の複数の電極パッドを備える第１の湾曲部材と、第２の複数の電極パッドを備える第２の湾曲部材とであって、前記第１の複数の電極パッド及び前記第２の複数の電極パッドは、前記神経によって伝達される前記電気生理学的信号を検出するように構成される、第１の湾曲部材及び第２の湾曲部材と、
第３の複数の電極パッドを備える第３の湾曲部材と、第４の複数の電極パッドを備える第４の湾曲部材とであって、前記第３の複数の電極パッド及び前記第４の複数の電極パッドは、前記電気パルスを放出するように構成される、第３の湾曲部材及び第４の湾曲部材と、であって、
前記第１の複数の電極パッドと、前記第２の複数の電極パッドと、前記第３の複数の電極パッドと、前記第４の複数の電極パッドとは、それぞれ、前記神経に平行な軸の周りに、前記神経の長さに沿って異なる位置に放射状に配置されるように構成される、実施形態１乃至３８のいずれか１つに記載の装置。
【０１８８】
［実施形態４０］
前記第３の湾曲部材及び前記第４の湾曲部材は、前記神経の長さに沿って前記第１の湾曲部材と前記第２の湾曲部材との間に配置される、実施形態３９に記載の装置。
【０１８９】
［実施形態４１］
前記電気生理学的信号を検出するように構成された第５の複数の電極パッドを含む第５の湾曲部材をさらに備える、実施形態３９又は４０に記載の装置。
【０１９０】
［実施形態４２］
前記第５の湾曲部材が、前記神経の長さに沿って前記第３の湾曲部材と前記第４の湾曲部材との間に配置される、実施形態４１に記載の装置。
【０１９１】
［実施形態４３］
前記計算回路は、前記第１の複数の電極パッド、前記第２の複数の電極パッド、又は前記第５の複数の電極パッドのうちの１つ以上によって検出された前記電気生理学的信号に基づいて、前記電気生理学的信号を伝達する神経線維のサブセットを決定するように構成される、実施形態４１乃至４２のいずれか１つに記載の装置。
【０１９２】
［実施形態４４］
前記電気生理学的信号を伝達する神経線維の前記サブセットが、インテロゲータから受信したデータに基づいてさらに決定される、実施形態４３に記載の装置。
【０１９３】
［実施形態４５］
前記第３の複数の電極パッド又は前記第４の複数の電極パッド内の前記電極パッドは、前記電気パルスを前記神経内の神経線維の標的サブセットに放出するように選択的に活性化されるように構成される、実施形態３９乃至４４のいずれか１つに記載の装置。
【０１９４】
［実施形態４６］
第１の電極パッド及び第２の湾曲部材を含む第１の湾曲部材を備える装置であって、前記第１の電極パッド及び前記第２の電極パッドは、それぞれ、前記神経の長さに沿った異なる位置で、前記神経の長さに並行する前記軸を少なくとも部分的に取り囲むように構成される、実施形態１乃至３１のいずれか１つに記載の装置。
【０１９５】
［実施形態４７］
前記第１の電極パッド及び前記第２の電極パッドは、前記神経によって伝達される前記電気生理学的信号を検出するように構成される、実施形態４６に記載の装置。
【０１９６】
［実施形態４８］
前記神経の長さに沿って前記第１の湾曲部材と前記第２の湾曲部材との間の位置において、前記神経の長さに平行な前記軸を少なくとも部分的に取り囲むように構成された第３の電極パッドを含む第３の湾曲部材をさらに備える、実施形態４６又は４７に記載の装置。
【０１９７】
［実施形態４９］
前記計算回路は、前記第１の電極パッド、前記第２の電極パッド、又は前記第３の電極パッドのうちの１つ以上によって検出された前記電気生理学的信号に基づいて、前記電気生理学的信号を伝達する神経線維のサブセットを決定するように構成される、実施形態４６乃至４８のいずれか一項に記載の装置。
【０１９８】
［実施形態５０］
前記電気生理学的信号を伝達する神経線維の前記サブセットが、インテロゲータから受信したデータに基づいてさらに決定される、実施形態４９に記載の装置。
【０１９９】
［実施形態５１］
前記第１の電極パッド、前記第２の電極パッド、又は前記第３の電極パッドは、前記電気パルスを前記神経に放出するように構成される、実施形態４６乃至５０のいずれか１つに記載の装置。
【０２００】
［実施形態５２］
前記第１の電極パッド、前記第２の電極パッド、又は前記第３の電極パッドは、前記神経内の神経線維の標的サブセットに前記電気パルスを放出するように選択的に活性化されるように構成される、実施形態５１に記載の装置。
【０２０１】
［実施形態５３］
第１の電極パッドを備える第１の湾曲部材と、第２の電極パッドを備える第２の湾曲部材とであって、前記第１の複数の電極パッド及び前記第２の複数の電極パッドは、前記神経によって伝達される前記電気生理学的信号を検出するように構成される、第１の湾曲部材及び第２の湾曲部材と、
第３の電極パッドを備える第３の湾曲部材と、第４の電極パッドを備える第４の湾曲部材とであって、前記第３の複数の電極パッド及び前記第４の複数の電極パッドは、前記電気パルスを放出するように構成される、第３の湾曲部材及び第４の湾曲部材と、であって、
前記第１の電極パッド、前記第２の電極パッド、前記第３の電極パッド、及び前記第４の電極パッドは、前記神経の長さに沿った異なる位置において、前記神経の長さに平行な前記軸を少なくとも部分的に取り囲むように構成される、実施形態１乃至３１のいずれか１つに記載の装置。
【０２０２】
［実施形態５４］
前記第３の湾曲部材及び前記第４の湾曲部材は、前記神経の長さに沿って前記第１の湾曲部材と前記第２の湾曲部材との間に配置される、実施形態５３に記載の装置。
【０２０３】
［実施形態５５］
前記電気生理学的信号を検出するように構成された第５の電極パッドを含む第５の湾曲部材をさらに備える、実施形態５３又は５４に記載の装置。
【０２０４】
［実施形態５６］
前記第５の湾曲部材が、前記神経の長さに沿って前記第３の湾曲部材と前記第４の湾曲部材との間に配置される、実施形態５５に記載の装置。
【０２０５】
［実施形態５７］
前記計算回路は、前記第１の電極パッド、前記第２の電極パッド、又は前記第５の複数の電極パッドのうちの１つ以上によって検出された前記電気生理学的信号に基づいて、前記電気生理学的信号を伝達する神経線維のサブセットを決定するように構成される、実施形態５５乃至５６のいずれか１つに記載の装置。
【０２０６】
［実施形態５８］
前記電気生理学的信号を伝達する神経線維の前記サブセットが、インテロゲータから受信したデータに基づいてさらに決定される、実施形態５７に記載の装置。
【０２０７】
［実施形態５９］
前記第３の電極パッド又は前記第４の電極パッドは、前記電気パルスを前記神経内の神経線維の標的サブセットに放出するように選択的に活性化されるように構成される、実施形態５３乃至５８のいずれか一項に記載の装置。
【０２０８】
［実施形態６０］
前記計算回路は、前記電気生理学的信号の方向又は速度を決定するように構成される、実施形態１乃至５９のいずれか１つに記載の装置。
【０２０９】
［実施形態６１］
前記１つ以上の電極パッド又は前記複数の電極パッドは、前記神経の外側に配置され、前記神経と電気的に連絡するように構成される、実施形態１乃至６０のいずれか一項に記載の装置。
【０２１０】
［実施形態６２］
前記１つ以上の電極パッド又は前記複数の電極パッドは、前記神経上膜に接するように構成される、実施形態６１に記載の装置。
【０２１１】
［実施形態６３］
前記１つ以上の電極パッド又は前記複数の電極パッドは、１つ以上の位置で前記神経上膜を貫通するように構成される、実施形態１乃至６２のいずれか１つに記載の装置。
【０２１２】
［実施形態６４］
前記計算回路は、前記検出信号又は前記検出信号の成分をダウンサンプリングするように構成される、実施形態１乃至６３のいずれか１つに記載の装置。
【０２１３】
［実施形態６５］
前記計算回路は、前記神経又は前記神経内の神経線維のサブセットによって伝達される複合活動電位又は前記複合活動電位のサブセットの向き、速度、周波数、振幅、若しくは波形に基づいて、前記刺激信号を生成するように構成される、実施形態１乃至６４のいずれか１つに記載の装置。
【０２１４】
［実施形態６６］
前記刺激信号は、前記装置によって放出される前記電気パルスのタイミング、振幅、周波数、又は波形を含む、実施形態１乃至６５のいずれか１つに記載の装置。
【０２１５】
［実施形態６７］
実施形態１乃至６６のいずれか１つに記載の装置と、前記装置に電力を供給する超音波を放出するように構成されたインテロゲータとを備える、システム。
【０２１６】
［実施形態６８］
前記インテロゲータが外部装置である、実施形態６７に記載のシステム。
【０２１７】
［実施形態６９］
前記装置が、前記検出された電気生理学的信号又は前記放出された電気パルスに基づいてデータを格納するように構成された非一時的メモリを備え、
前記超音波変換器が、前記データの少なくとも一部を符号化する超音波後方散乱波を放出するように構成され、
前記インテロゲータが、前記超音波後方散乱波を受信するように構成される、実施形態６７又は６８に記載のシステム。
【０２１８】
［実施形態７０］
前記インテロゲータが前記データを復号するようにさらに構成される、実施形態６９に記載のシステム。
【０２１９】
［実施形態７１］
完全に埋め込まれた閉ループ神経調節装置上の超音波変換器で超音波を受信することと、
前記超音波を、前記装置に電力を供給する電気エネルギーに変換することと、
前記装置を用いて、神経内の神経線維の標的サブセットによって伝達される電気生理学的信号を検出することと、
前記装置を用いて、前記検出された電気生理学的信号に基づいて刺激信号を生成することと、
前記装置を用いて、前記生成された刺激信号に基づいて前記神経に電気パルスを放出することと、を含む、神経活動を調整する方法。
【０２２０】
［実施形態７２］
前記電気パルスが、前記神経内の神経線維の第２の標的サブセットに放出される、実施形態７１に記載の方法。
【０２２１】
［実施形態７３］
完全に埋め込まれた閉ループ神経調節装置上の超音波変換器で超音波を受信することと、
前記超音波を、前記装置に電力を供給する電気エネルギーに変換することと、
前記装置を用いて、神経によって伝達される電気生理学的信号を検出することと、
前記装置を用いて、前記検出された電気生理学的信号に基づいて刺激信号を生成することと、
前記装置を用いて、前記生成された刺激信号に基づいて前記神経内の神経線維の標的サブセットに電気パルスを放出することと、を含む、神経活動を調整する方法。
【０２２２】
［実施形態７４］
前記装置内の電池に前記電気エネルギーを蓄積することを含む、実施形態７１乃至７３のいずれか一つに記載の方法。
【０２２３】
［実施形態７５］
前記検出された電気生理学的信号又は前記放出された電気パルスに基づくデータを、前記装置内の非一時的メモリに格納することを含む、実施形態７１乃至７４のいずれか１つに記載の方法。
【０２２４】
［実施形態７６］
前記データは、前記検出された電気生理学的信号又は前記放出された電気パルスのタイムスタンプ、周波数、振幅、波形、速度、又は方向を含む、実施形態７５に記載の方法。
【０２２５】
［実施形態７７］
インテロゲータからデータを受信することを含む、実施形態７１乃至７６の何れか一つに記載の方法。
【０２２６】
［実施形態７８］
前記データは、前記インテロゲータによって伝達される超音波で符号化される、実施形態７７に記載の方法。
【０２２７】
［実施形態７９］
前記インテロゲータから受信された前記データは、前記装置内の非一時的なメモリに格納される、実施形態７７又は７８に記載の方法。
【０２２８】
［実施形態８０］
非一時的媒体上に格納されたデータの少なくとも一部を符号化する超音波後方散乱を放出することを含む、実施形態７１乃至７９のいずれか１つに記載の方法。
【０２２９】
［実施形態８１］
前記検出された電気生理学的信号の方向又は速度を決定することを含む、実施形態７１乃至７９のいずれか１項に記載の方法。
【０２３０】
［実施形態８２］
生理学的状態を検出又は測定することを含む、実施形態７１乃至８１のいずれか１つに記載の方法。
【０２３１】
［実施形態８３］
前記生理学的状態が検体の体温、ｐＨ、圧力、心拍数、緊張、及び／又は存在若しくは量を含む、実施形態８２に記載の方法。
【０２３２】
［実施形態８４］
前記刺激信号を生成する前に、前記検出された電気生理学的信号をダウンサンプリングすることを含む、実施形態７１乃至８３のいずれか１つに記載の方法。
【０２３３】
［実施形態８５］
前記刺激信号が、前記検出された電気生理学的信号の周波数、振幅、又は波形に基づいて生成される、実施形態７１乃至８４のいずれか１つに記載の方法。
【図１】
2021535779.tif 000004
【図２Ａ】
2021535779.tif 000005
【図２Ｂ】
2021535779.tif 000006
【図３Ａ】
2021535779.tif 000007
【図３Ｂ】
2021535779.tif 000008
【図３Ｃ】
2021535779.tif 000009
【図４】
2021535779.tif 000010
【図５】
2021535779.tif 000011
【国際調査報告】
2021535779.tif 000012
2021535779.tif 000013